(57)【特許請求の範囲】
【請求項１】
遊技盤の遊技領域内で開口する入球口を開閉部材で開閉可能に構成された可変入球部と、前記遊技領域内で貫通するよう設けられた通過口を通過する遊技球を球検出センサで検出可能に構成されたゲート部とを備えた遊技機において、
前記通過口が開口する底面部を前記可変入球部の入球口の形成位置に向けた姿勢で前記ゲート部が可変入球部に隣接して配置され、
前記可変入球部の入球口において前記ゲート部が隣接する開口縁部に対して前記開閉部材の開閉端部が近接および離間することで当該入球口が開閉するよう構成されて、
前記入球口を開放する開放状態において前記開閉部材の開閉端部およびゲート部の底面部に対して遊技球が同時に接触不能となる位置に当該開閉端部が位置し、
前記可変入球部の入球口を前記開閉部材で閉鎖した状態で、前記ゲート部の底面部において前記通過口を挟んで遊技盤の盤面に沿う方向に対向する一方端部から他方端部に近づくにつれて、当該ゲート部の底面部から開閉部材までの間隔が拡大するよう構成されて、当該ゲート部の底面部の一方端部から前記開閉部材の開閉端部までの間隔が遊技球の直径に満たない間隔となる位置に当該開閉端部が位置すると共に、当該ゲート部の底面部の他方端部において開閉部材の開閉端部までの間隔を遊技球が通過可能な間隔となる位置に当該開閉端部が位置するよう構成された
ことを特徴とする遊技機。
【発明の詳細な説明】
【技術分野】
【０００１】
本発明は、遊技盤の盤面に遊技球が流下する遊技領域が前面に形成された遊技機に関するものである。
【背景技術】
【０００２】
代表的な遊技機であるパチンコ機は、遊技盤の盤面に画成した遊技領域の略中央位置に枠状の装飾部材(所謂センター役物)が配設されており、この装飾部材の開口部を介して複数の図柄を変動表示する液晶式やドラム式等の図柄表示装置を後方から臨ませると共に、該遊技盤における装飾部材の下方位置に、パチンコ球(遊技球)の入賞により図柄表示装置での図柄変動を開始させる始動入賞部や大当り時等に開閉部材を開放する特別入賞部を配設するよう構成されたものが多数提案されている。このようなパチンコ機では、前記遊技領域に打ち出されたパチンコ球が遊技領域内に植設された遊技釘等との接触により跳ね返りながら次第に自重により流下し、該遊技領域を流下する過程で前記始動入賞部に入賞することにより、前記図柄表示装置で図柄変動に伴うリーチ演出等の各種の遊技演出がなされ、該図柄表示装置に図柄が所定の組み合わせで停止することにより所謂大当りが発生し、遊技盤に設けられた特別入賞部の開閉部材が開放作動して多数の賞球を獲得し得るよう構成される。
【０００３】
また、パチンコ機には、前記遊技領域内で上下に貫通する通過口と、該通過口を通過するパチンコ球を検出する球検出センサとを備えたゲート部が遊技盤に配設されて、遊技領域を流下して通過口を通過したパチンコ球を球検出センサが検出することを契機として、所定の制御処理を実行して、当該制御処理結果に応じて遊技が進行するよう構成されたものが知られている(特許文献１参照)。例えば、前記始動入賞部としてパチンコ球が入賞する入球口を開閉自在な開閉部材を備える可変式の始動入賞部を備えるパチンコ機において、前記ゲート部の球検出センサがパチンコ球を検出することを契機として、前記可変式の始動入賞部を開放するかに関する判定処理を行い、その判定結果に応じてソレノイド等の駆動手段を駆動して前記開閉部材を開閉作動するよう構成される。
【先行技術文献】
【特許文献】
【０００４】
【特許文献１】特開２００４−２８３３５２号公報
【発明の概要】
【発明が解決しようとする課題】
【０００５】
ところで、近年では前記遊技盤に配設される図柄表示装置を大型化したり、該遊技盤に可動演出装置や発光演出装置等の各種演出装置を配設することで、遊技演出を多様化して演出効果を向上することが一般的になっており、遊技盤における遊技球が流下可能な遊技領域が狭くなる傾向にあり、遊技盤に対して各種部材をコンパクトに配置することが求められる。ここで、前記ゲート部の通過口を通過したパチンコ球がそのまま遊技領域を流下するよう構成されることから、特別入賞部や可変式の始動入賞部のような開閉部材を有する可変入球部の上側にゲート部を間隔を詰めて配置すると、当該開閉部材を閉鎖動作した際にゲート部と開閉部材との間にパチンコ球が挟まれて入球口が半開きの状態で保持されたり、ゲート部と開閉部材との間に挟まれたパチンコ球がゲート部の通過口側に逃げて球検出センサで二重に検出されたりすることが懸念される。このため、可変入球部の上側にゲート部を配置する場合には、両部材の間に一定程度の間隔を確保する必要があり、遊技盤のレイアウトが制約される要因となっていた。
【０００６】
そこで本発明は、従来の技術に内在する前記問題に鑑み、これらを好適に解決するべく提案されたものであって、可変入球部およびゲート部の配置の自由度を向上可能な遊技機を提供することを目的とする。
【課題を解決するための手段】
【０００７】
前記課題を克服し、所期の目的を達成するため、本願請求項１に係る遊技機は、
遊技盤(20)の遊技領域(22)内で開口する入球口(71,211,251)を開閉部材(73,213,253)で開閉可能に構成された可変入球部(70,210,250)と、前記遊技領域(22)内で貫通するよう設けられた通過口(104)を通過する遊技球を球検出センサ(SE7)で検出可能に構成されたゲート部(100)とを備えた遊技機において、
前記通過口(104)が開口する底面部(102)を前記可変入球部(70,210,250)の入球口(71,211,251)の形成位置に向けた姿勢で前記ゲート部(100)が可変入球部(70,210,250)に隣接して配置され、
前記可変入球部(70,210,250)の入球口(71,211,251)において前記ゲート部(100)が隣接する開口縁部(71a,211a,251a)に対して前記開閉部材(73,213,253)の開閉端部(74,214,254)が近接および離間することで当該入球口(71,211,251)が開閉するよう構成されて、
前記入球口(71,211,251)を開放する開放状態において前記開閉部材(73,213,253)の開閉端部(74,214,254)およびゲート部(100)の底面部(102)に対して遊技球が同時に接触不能となる位置に当該開閉端部(74,214,254)が位置し、
前記可変入球部(70,210,250)の入球口(71,211,251)を前記開閉部材(73,213,253)で閉鎖した状態で、前記ゲート部(100)の底面部(102)において前記通過口(104)を挟んで遊技盤(20)の盤面に沿う方向に対向する一方端部(T1)から他方端部(T2)に近づくにつれて、当該ゲート部(100)の底面部(102)から開閉部材(73,213,253)までの間隔が拡大するよう構成されて、当該ゲート部(100)の底面部(102)の一方端部(T1)から前記開閉部材(73,213,253)の開閉端部(74,214,254)までの間隔(H1)が遊技球の直径(L)に満たない間隔となる位置に当該開閉端部(74,214,254)が位置すると共に、当該ゲート部(100)の底面部(102)の他方端部(T2)において開閉部材(73,213,253)の開閉端部(74,214,254)までの間隔を遊技球が通過可能な間隔となる位置に当該開閉端部(74,214,254)が位置するよう構成されたことを要旨とする。
このように、可変入球部の入球口を開閉部材で閉鎖した状態において、ゲート部の底面部の一方端部から他方端部に近づくにつれて開閉部材までの間隔が拡大すると共に、当該ゲート部の底面部の他方端部において開閉部材までの間隔を遊技球が通過可能な間隔となるよう構成することで、閉鎖状態に変位する際にゲート部の底面部側で開閉部材との間に挟まれた遊技球を、ゲート部の他方端部側に逃がすことができるから、開閉部材との間にパチンコ球が挟まれて入球口が半開きの状態で保持されたり、パチンコ球がゲート部の球検出センサで二重に検出されたることを効果的に防止できる。このため、可変入球部に対してゲート部を近接して配置することが可能になり、可変入球部およびゲート部の配置の自由度を向上することができる。
また、入球口を開放する開放状態において開閉部材の開閉端部およびゲート部の底面部に対して遊技球が同時に接触不能となる位置に当該開閉端部が位置することで、開放状態においてゲート部の底面部側で開閉部材との間に遊技球が挟まれるのを防止できる。そして、入球口を閉鎖する閉鎖状態においてゲート部の底面部の一方端部から開閉部材の開閉端部までの間隔が遊技球の直径に満たない間隔となる位置に当該開閉端部が位置すると共に、当該ゲート部の底面部の他方端部から開閉部材の開閉端部までの間隔が遊技球が通過可能な間隔となる位置に当該開閉端部が位置することにより、開放状態から閉鎖状態に開閉部材が変位する際にゲート部の底面部側に遊技球が挟まれたとしても、当該遊技球をゲート部の他方端部側に逃がすことができ、開閉部材との間にパチンコ球が挟まれて入球口が半開きの状態で保持されたり、パチンコ球がゲート部の球検出センサで二重に検出されることを効果的に防止できる。
【０００８】
また、本願には次のような技術的思想が含まれている。
前記ゲート部(100)の底面部(102)が平面状に形成されて、前記可変入球部(70,210,250)の入球口(71,211,251)を閉鎖する閉鎖状態で、当該ゲート部(100)の底面部(102)が位置する平面(M)に対し、開閉動作に伴って前記入球口(71,211,251)の開口縁部(71a,211a,251a)に対して近接および離間するように変位する前記開閉部材(73,213,253)の開閉端部(74,214,254)が傾斜方向に延在するよう構成されたことを要旨とする。
このように、可変入球部の入球口を閉鎖する閉鎖状態で、当該ゲート部の底面部が位置する平面に対し、開閉動作に伴って入球口の開口縁部に対して近接および離間するように変位する開閉部材の開閉端部が傾斜方向に延在するよう構成することで、閉鎖状態に変位する際にゲート部の底面部側で開閉部材との間に遊技球が挟まれた場合に、当該遊技球をゲート部の他方端部側に逃がすことができるから、開閉部材との間にパチンコ球が挟まれて入球口が半開きの状態で保持されたり、パチンコ球がゲート部の球検出センサで二重に検出されたることを効果的に防止できる。
【０００９】
また、本願には次のような技術的思想が含まれている。
前記遊技盤(20)の盤面に固定される同一の取着部(61)に前記可変入球部(70,210,250)およびゲート部(100)が設けられたことを要旨とする。
このように、ゲート部および可変入球部を同一の取着部に形成することにより、ゲート部および可変入球部の相対的な位置関係が一定に維持することができるから、ゲート部および可変入球部の配置関係に起因する不具合が生じることを防止し得る。また、ゲート部および可変入球部を同時に遊技盤に取り付けることができるから、作業性の向上に寄与し得る。
【００１１】
また、本願には次のような技術的思想が含まれている。
前記可変入球部(70)の開閉部材(73)は、前記ゲート部(100)から離間する端部側に位置する軸部(84)を中心として回動可能に軸支されて、自由端部(74)が前記入球口(71)の開口縁部(71a)に近接または当接して当該入球口(71)を閉鎖する閉鎖状態と、自由端部(74)が前記取着部(61)の前方へ離間して入球口(71)を開放する開放状態との間で回動可能に構成され、
前記入球口(71)を開放する開放状態において前記開閉部材(73)の自由端部(74)およびゲート部(100)の底面部(102)に対して遊技球が同時に接触不能となる位置に当該自由端部(74)が位置し、
前記入球口(71)を閉鎖する閉鎖状態において前記ゲート部(100)の底面部(102)の一方端部(T1)から前記開閉部材(73)の自由端部(74)までの間隔(H1)が遊技球の直径(L)に満たない間隔となる位置に当該自由端部(74)が位置すると共に、当該ゲート部(100)の底面部(102)の他方端部(T2)から開閉部材(73)の自由端部(74)までの間隔(H2)を遊技球が通過可能な間隔となる位置に当該自由端部(74)が位置するよう構成されたことを要旨とする。
このように、可変入球部の開閉部材を、前記ゲート部から離間する端部側に位置する軸部を中心として回動可能に軸支する扉式に構成した場合でも、開放状態から閉鎖状態に開閉部材が変位する際にゲート部の底面部側に遊技球が挟まれたとしても、当該遊技球をゲート部の他方端部側に逃がすことができ、開閉部材との間にパチンコ球が挟まれて入球口が半開きの状態で保持されたり、パチンコ球がゲート部の球検出センサで二重に検出されたることを効果的に防止できる。
【００１２】
また、本願には次のような技術的思想が含まれている。
前記可変入球部(210,250)の開閉部材(213,253)は、前記遊技盤(20)の前後方向または左右方向に進退移動可能に構成されて、当該開閉部材(213,253)の前側端部(214,254)が前記入球口(211,251)の開口縁部(211a,251a)に近接または当接することで当該入球口(211,251)を閉鎖する閉鎖状態と、当該開閉部材(213,253)の前側端部(214,254)が閉鎖状態において対応する入球口(211,251)の開口縁部(211a,251a)から離間することで入球口(211,251)を開放する開放状態との間で移動可能に構成され、
前記入球口(211,251)を開放する開放状態において前記開閉部材(213,253)の前側端部(214,254)およびゲート部(100)の底面部(102)に対して遊技球が同時に接触不能となる位置に当該前側端部(214,254)が位置し、
前記入球口(211,251)を閉鎖する閉鎖状態において前記ゲート部(100)の底面部(102)の一方端部(T1)から前記開閉部材(213,253)の前側端部(214,254)までの間隔(H1)が遊技球の直径(L)に満たない間隔となる位置に当該前側端部(214,254)が位置すると共に、当該ゲート部(100)の底面部(102)の他方端部(T2)から開閉部材(213,253)の前側端部(214,254)までの間隔(H2)を遊技球が通過可能な間隔となる位置に当該前側端部(214,254)が位置するよう構成されたことを要旨とする。
このように、可変入球部の開閉部材を、遊技盤の前後方向または左右方向に進退移動可能なスライド式に構成した場合でも、開放状態から閉鎖状態に開閉部材が変位する際にゲート部の底面部側に遊技球が挟まれたとしても、当該遊技球をゲート部の他方端部側に逃がすことができ、開閉部材との間にパチンコ球が挟まれて入球口が半開きの状態で保持されたり、パチンコ球がゲート部の球検出センサで二重に検出されたることを効果的に防止できる。
【００１３】
また、本願には次のような技術的思想が含まれている。
前記遊技盤(20)に演出装置(17)が臨む表示窓部(41)を備えた装飾部材(40)が設けられて、当該装飾部材(40)の左右一側端部側を流下してアウト口(30)に至る第１の流下領域(22a)および装飾部材(40)の左右他側端部側を流下してアウト口(30)に至る第２の流下領域(22b)が前記遊技領域(22)として遊技盤(20)の盤面に画成されると共に、
前記第１の流下領域(22a)および第２の流下領域(22b)の何れかに、前記装飾部材(40)の側端部より下側中央側に位置するよう前記可変入球部(70,210,250)およびゲート部(100)が配設されて、
前記ゲート部(100)は、当該ゲート部(100)が配設された流下領域(22b)を画成する前記装飾部材(40)の側端部側に前記通過口(104)の入口が向くよう傾斜配置されたことを要旨とする。
このように、ゲート部を配設した第１または第２の流下領域を画成する装飾部材の側端部側に、通過口の入口が向くようにゲート部を傾斜配置することで、当該ゲート部が配設された第１または第２の流下領域を流下する遊技球がスムーズにゲート部の通過口を通過することができる。また、ゲート部を傾斜配置することにより、ゲート部の底面部の一方端部から他方端部に近づくにつれて可変入球部の開閉部材までの間隔が拡大するように構成する際に、従来の遊技機における可変入球部の構成をそのまま採用することが可能となり、遊技機の構成の大幅な変更を伴うことなく可変入球部およびゲート部の配置の自由度を向上することができる。
【発明の効果】
【００１４】
本発明に係る遊技機によれば、可変入球部に対してゲート部を近接して配置することが可能になり、可変入球部およびゲート部の配置の自由度を向上することができる。
【図面の簡単な説明】
【００１５】
【図１】本発明の実施例に係るパチンコ機を示す斜視図であって、前枠を開放した状態を示す。
【図２】実施例に係る遊技盤を示す正面図である。
【図３】(a)は、特別入賞部およびゲート部を備えた入賞ユニットを示す斜視図であり、(b)は、当該入賞ユニットの縦断側面図である。なお、(b)における二点鎖線は、閉鎖位置にある開閉部材を示している。
【図４】実施例に係る特別入賞部およびゲート部を備えた入賞ユニットを示す分解斜視図である。
【図５】(a)は、ゲート部と特別入賞部の開閉部材との配置関係を示す説明図であって、(b)は、特別入賞部の開閉部材を開放した状態で入賞ユニットを縦断して示す要部拡大図である。
【図６】特別入賞部の開閉部材を閉鎖した状態で遊技盤を縦断して示す要部拡大図である。
【図７】実施例に係るパチンコ機の制御構成を示すブロック図である。
【図８】第２の実施例に係るゲート部および特別入賞部を備えた入賞ユニットを示し、(a)は、特別入賞部の開閉部材を閉鎖した状態で当該入賞ユニットを縦断して示す要部拡大図であり、(b)は、特別入賞部の開閉部材を開放した状態で当該入賞ユニットを縦断した側面図であり、(c)は、ゲート部と特別入賞部の開閉部材との配置関係を示す説明図である。なお、(b)における二点鎖線は、閉鎖位置にある開閉部材を示している。
【図９】第３の実施例に係るゲート部および特別入賞部を備えた入賞ユニットを示し、(a)は、特別入賞部の開閉部材を閉鎖した状態で当該入賞ユニットを縦断して示す要部拡大図であり、(b)は、特別入賞部の開閉部材を開放した状態で当該入賞ユニットを縦断した側面図である。なお、(b)における二点鎖線は、閉鎖位置にある開閉部材を示している。
【発明を実施するための形態】
【００１６】
次に、本発明に係る遊技機につき、好適な実施例を挙げて、添付図面を参照して以下に説明する。なお、実施例では、遊技球としてパチンコ球を用いて遊技を行うパチンコ機１０を例に挙げて説明する。また、以下の説明において、「前」、「後」、「左」、「右」とは、特に断りのない限り、パチンコ機１０を前側(遊技者側)から見た状態で指称する。なお、図中の符号Ｂは、パチンコ球を示している。
【実施例】
【００１７】
(パチンコ機１０について)
実施例に係るパチンコ機１０は、図１に示すように、前後に開口する矩形枠状に形成されて遊技店の図示しない設置枠台に縦置き姿勢で設置される固定枠としての外枠１１の開口前面側に、遊技盤２０を着脱可能に保持する本体枠としての中枠１２が開閉および着脱可能に組み付けられて、該遊技盤２０の裏側に、所定の当り判定条件(特図当り判定条件)の成立を契機として(後述する第１始動入賞部５１の第１始動入賞口５１ａまたは第２始動入賞部５２の第２始動入賞口５２ａへのパチンコ球の入賞を契機として)、演出用の図柄(以下演出図柄という)を変動表示させて図柄変動演出を行う演出表示手段としての図柄表示装置１７が着脱可能に配設されている。また、前記中枠１２の前面側には、前記遊技盤２０の遊技領域２２と対応する位置に前後に開口する窓口１３ａが形成された装飾枠としての前枠１３が開閉可能に組み付けられている。そして、前枠１３には、ガラス板や透明な合成樹脂材で形成された透視保護部材１３ｂが窓口１３ａを覆うよう配設されており、窓口１３ａに臨む遊技盤２０を前側から透視可能な状態で保護している。なお、図１では、透視保護部材を省略してある。また、前記前枠１３における窓口１３ａの下方位置には、パチンコ球を貯留可能な球受け皿１４が設けられており、当該前枠１３と一体的に球受け皿１４を開閉し得るようになっている。実施例の前枠１３には、上下の位置関係で２つの球受け皿１４が組み付けられており、図１に上側の球受け皿１４のみを図示してある。なお、前記上下の球受け皿１４の一方および両方を、前枠１３とは個別に中枠１２に組み付けるようにしてもよい。また、中枠１２や前枠１３に、１つの球受け皿１４のみを備える構成とすることもできる。なお、実施例では、前記図柄表示装置１７としては、液晶パネルを収容ケースに収容した液晶表示装置が採用されているがこれに限られるものではなく、ドラム式の図柄表示装置１７やドットマトリックス式の表示装置等の演出図柄を変動および停止表示可能な従来公知の各種の装置を採用し得る。
【００１８】
実施例のパチンコ機１０の前面右下部(実施例では前枠１３の前面右下部)には、図１に示すように、前記中枠１２に配設された打球発射装置１８を作動させる操作ハンドル１６が設けられる。この操作ハンドル１６は、左回転方向に付勢された操作レバー１６ａを備えており、遊技者が操作レバー１６ａを右回転するよう回動操作することで打球発射装置１８が作動されて、前記上側の球受け皿１４に貯留されたパチンコ球が前記遊技盤２０に向けて発射されるようになっている。ここで、前記操作レバー１６ａの回動量に応じて前記打球発射装置１８によるパチンコ球の打球力が強弱変化するよう構成されており、遊技者が操作レバー１６ａの回動量を調節することで、前記遊技領域２２へ打ち出されたパチンコ球の到達位置を任意に変更し得るようになっている。すなわち、遊技者が操作レバー１６ａを操作して回動量を調節することで、前記遊技盤２０に形成された第１の流下領域２２ａ(後述)にパチンコ球を流下させる所謂「左打ち遊技」と称される遊技形態、該遊技盤２０に形成された第２の流下領域２２ｂ(後述)にパチンコ球を流下させる所謂「右打ち遊技」と称される遊技形態とに切り替えて遊技を行い得るようになっている。
【００１９】
(遊技盤２０について)
実施例の前記遊技盤２０は、図２に示すように、パチンコ球が流下可能な遊技領域２２が前面側に形成された板状部材(遊技領域形成部材)２１と、該板状部材２１の裏側に配設されて当該板状部材２１との間に収容空間３７を画成する設置部材(収容空間画成部材)８０とから構成されている。前記板状部材２１は、合成樹脂材やベニヤ材等から所定板厚の略矩形状に形成されており、前面(盤面)に配設された略円形状の案内レール２３によりパチンコ球が流下可能な遊技領域２２が画成されている。ここで、実施例の板状部材２１は、アクリル樹脂から形成された透明板であって、前記収容空間３７を板状部材２１の前面側から透視し得るようになっている。また、前記板状部材２１と設置部材３５との間の収容空間３７には、可動体の動作による演出や発光による演出を行う演出部材３８が設置されており、遊技盤２０の前面側から収容空間３７内に配設した演出部材３８を遊技者が目視し得るよう構成されている。また、収容空間３７には、前記板状部材２１に設けられた入賞部５１,５２,７０,５５,５６に入賞したパチンコ球を排出する球排出通路(図示せず)が設けられており、入賞したパチンコ球を遊技盤２０の外部に排出し得るよう構成されている。なお、前記図柄表示装置１７は、設置部材３５の裏側に取り付けられて、後述するように設置部材３５の後側表示窓部(図示せず)および板状部材２１(枠状装飾部材４０)の前側表示窓部４１(後述)を介して遊技盤２０の前側から視認可能に臨むよう構成される。
【００２０】
前記案内レール２３は、図２に示すように、板状部材２１の左下部から右上部に至るように延在すると共に左方向に膨出する円弧状に形成された外レール部材２４と、板状部材２１の右上部、右下部および左上部に至るように延在すると共に右方向に膨出する円弧状に形成された内レール部材２５とから構成されている。なお、前記内レール部材２５は、前記外レール部材２４より小径な円弧状に形成されている。そして、前記遊技盤２０(板状部材２１の前面左端側において外レール部材２４の右方(径方向内側)に離間して内レール部材２５が位置するよう構成されて、径方向に対向する内外のレール部材２４,２５により１個のパチンコ球が通過可能な発射通路２６を画成するようになっている。ここで、前記内レール部材２５は、前記板状部材２１の左上部に開放端が臨むよう配置されて、外レール部材２４との間に遊技領域２２に開口する発射口２６ａを画成するよう構成され、前記打球発射装置１８から発射されたパチンコ球が発射通路２６の下方開口から飛翔して、当該発射口２６ａから遊技領域２２内に打ち出されるようになっている。
【００２１】
前記板状部材２１には、前後に貫通する装着口が前記遊技領域２２内の適宜位置に開設されて、各装着口に対して各種の遊技盤設置部品が配設されている。なお、実施例の遊技盤２０には、遊技盤設置部品として枠状装飾部材４０や各種入球部(始動入賞部５１,５２、特別入賞部７０、普通入賞部５５,５６、ゲート部１００等)を設置する装着口が形成されている。そして、前記遊技盤２０の板状部材２１において遊技領域２２の最下部位置に、該遊技領域２２の最下部位置まで流下したパチンコ球を遊技盤２０の外部に排出するアウト口３０が開設されている。すなわち、前記打球発射装置１８から発射されて遊技領域２２を流下するパチンコ球が前記板状部材２１に設けられた入球部(始動入賞部５１,５２、特別入賞部７０、普通入賞部５５,５６、ゲート部１００等)に入球(入賞)することにより、入球した入球部に応じた賞球の払い出しや図柄変動演出の実行等の所定の遊技が行われ、遊技領域２２の最下部まで流下したパチンコ球がアウト口３０を介して機外に排出されるよう構成される。なお、前記装着口は、板状部材２１に対して取り付けられる遊技盤設置部品の配設位置や配設数等に応じて適宜に形成される。
【００２２】
また、前記板状部材２１には、前記遊技領域２２内に多数の遊技釘３２が設けられると共に、遊技領域２２を流下するパチンコ球の接触に伴って回転する回転案内部材３３が回転自在に支持されており、遊技釘３２や回転案内部材３３との接触によりパチンコ球の流下方向が不規則に変化するよう構成されている。前記回転案内部材３３は、回転中心から放射状に複数(例えば３つ)の接触片を有する所謂「風車」とも称される部材であって、該接触片に対するパチンコ球の接触に伴って回転案内部材３３が回転することでパチンコ球を弾くように左右方向へ放出するようになっている。実施例では、後述する枠状装飾部材４０の左側方(すなわち第１の流下領域２２ａ)に回転案内部材３３を配設してある。
【００２３】
前記設置部材３５は、前方に開口した箱状に形成されて、開口前端部を板状部材２１の裏面に当接させた状態で、当該板状部材２１に対してネジにより固定される。そして、前記設置部材３５において前記板状部材２１との間に画成される前記収容空間３７に、動作により演出を行う可動演出装置や発光により演出を行う発光演出装置等の各種演出部材３８(図２参照)や、入賞部に入賞したパチンコ球を排出する球排出ユニット(図示せず)が設置されて、設置部材３５を基材とする１つのユニットとして扱い得るようになっている。また、前記設置部材３５には、前記板状部材２１(枠状装飾部材４０)の前側表示窓部４１と前後に整列する位置に後側表示窓部が形成されると共に、当該後側表示窓部の後方に表示部１７ａが臨むよう前記図柄表示装置１７が設置部材３５の裏側に着脱自在に取り付けられており、前後の表示窓部４１を介して図柄表示装置１７の表示部１７ａを遊技盤２０の前側から視認し得るよう構成されている。なお、実施例では、前記設置部材３５の背面板に対して、前後に開口する略矩形状の開口部を開設することで後側表示窓部を形成している。
【００２４】
実施例の前記板状部材２１には、図２に示すように、前記案内レール２３で囲まれた遊技領域２２の略中央にセンター役とも称される装飾部材４０が取り付けられており、当該装飾部材４０に設けられた前側表示窓部(表示窓部)４１を介して前側から板状部材２１の後方を視認し得るよう構成されている。そして、前記装飾部材４０の前側表示窓部４１の後方に、前記図柄表示装置１７の表示部１７ａが臨む前記設置部材３５の後側表示窓部が位置するように構成されており、当該図柄表示装置１７の表示部１７ａを遊技盤２０の前側から目視し得るようになっている。ここで、実施例では、前記図柄表示装置１７の表示部１７ａが臨む前記装飾部材４０は、前後に開口する枠状に形成されており、以下の説明では、前側表示窓部４１が設けられた装飾部材を枠状装飾部材４０と指称するものとする。すなわち、実施例では、前記枠状装飾部材４０の前側表示窓部４１としての開口部の後方に、前記図柄表示装置１７の表示部１７ａが位置すると共に、前記設置部材３５に設けられた演出部材３８が位置しており、当該前側表示窓部４１を介して図柄表示装置１７の表示部１７ａや演出部材３８を前側から視認し得るよう構成されている。なお、枠状装飾部材４０は、前後に開口する構成に限られるものではなく、当該開口部を透明パネルで全面的或いは部分的に塞ぐ形態とすることも可能である。
【００２５】
(枠状装飾部材４０について)
次に、前記枠状装飾部材４０について詳細に説明する。前記枠状装飾部材４０は、図２に示すように、前記板状部材２１の前面より前方に突出し、前記遊技領域２２と図柄表示装置１７の表示部１７ａを区切る区画壁部４４と、該区画壁部４４の後縁から外方に延出する薄板状の台板部４５とを備える。そして、前記台板部４５を板状部材２１の前面に当接した状態で、ネジ等の固定手段により前側から台板部４５を板状部材２１に固定することで、枠状装飾部材４０が板状部材２１に取り付けられて、該枠状装飾部材４０の外側(具体的には区画壁部４４と案内レール２３との間)に、パチンコ球が流下する遊技領域２２が画成されるようになっている。なお、前記台板部４５は、枠状装飾部材４０を板状部材２１に取り付けた状態で前面側をパチンコ球が通過可能な厚みで形成されている。
【００２６】
図２に示すように、前記枠状装飾部材４０の区画壁部４４は、枠状装飾部材４０(台板部４５)の左側縁の略中間位置から上縁および右下縁に亘って連続して延在するよう設けられており、前記図柄表示装置１７における表示部１７ａの前面側を横切ってパチンコ球が流下(落下)するのを規制している。また区画壁部４４は、最上部位置から左右方向に下方傾斜するよう形成されて、遊技領域２２に打ち出されたパチンコ球が区画壁部４４上で滞ることなく枠状装飾部材４０の左側方(第１の流下領域２２ａ)または右側方(第２の流下領域２２ｂ)へ誘導案内されるよう形成されている。
【００２７】
すなわち、前記枠状装飾部材４０は、当該枠状装飾部材４０の左端部側(左右一側端部側)を流下してアウト口３０に至る第１の流下領域２２ａと、当該枠状装飾部材４０の右端部側(左右他側端部側)を流下してアウト口３０に至る第２の流下領域２２ｂとに前記遊技領域２２を区画している。これにより、操作ハンドル１６の操作レバー１６ａを回動操作して打球力を調節することで、パチンコ球を第１の流下領域２２ａに流下させる遊技形態(左打ち)およびパチンコ球を第２の流下領域２２ｂに流下させる遊技形態(右打ち)の何れかを遊技者が任意に選択し得るようになっている。なお、前記遊技領域２２は、前記枠状装飾部材４０の下方位置において第１および第２の流下領域２２ａ,２２ｂが合流して、当該第１および第２の流下領域２２ａ,２２ｂが合流する合流領域に前記アウト口３０が形成されており、枠状装飾部材４０の左側および右側を流下したパチンコ球が同じアウト口３０から排出されるよう構成されている。
【００２８】
ここで、前記枠状装飾部材４０は、図２に示すように、当該枠状装飾部材４０の上部から右側部の間で前記案内レール２３に近接するよう構成されている。すなわち、前記第２の流下領域２２ｂは、前記枠状装飾部材４０の上方位置で前記第１の流下領域２２ａに接続すると共にパチンコ球が一列で流下する通路幅に形成された整列流路ＲＡと、当該整列流路ＲＡの下端部に接続すると共に複数のパチンコ球が並列で流下可能な通路幅に形成された拡大流路ＲＢとに分けられて、当該拡大流路ＲＢに複数の入球部(実施例では第２始動入賞部５２、特別入賞部７０、普通入賞部５５,５６、ゲート部１００等)が集約的に配置されるようになっている。ここで、前記第２の流下領域２２ｂの拡大流路ＲＢにおいて、前記枠状装飾部材４０の右側端部から案内レール２３(内レール部材２５)までの間隔は、第１の流下領域２２ａにおいて枠状装飾部材４０の左側端部から案内レール２３(内レール部材２５)までの間隔よりも狭くなるよう形成されて、一列で整列流路ＲＡから拡大流路ＲＢに至るパチンコ球が限られた領域内を流下するよう構成されている。すなわち、実施例における前記第２の流下領域２２ｂは、前記第１の流下領域２２ａと比べて限られた流下経路をパチンコ球が辿って流下するよう形成されている。これにより、前記第２の流下領域２２ｂにパチンコ球を流下させる右打ちの遊技形態で遊技が行われる場合には、前記第１の流下領域２２ａにパチンコ球を流下させる左打ちの遊技形態で遊技が行われる場合と比べて、遊技盤２０の所定位置(例えばアウト口３０)までパチンコ球が短時間で流下し得るようになっている。
【００２９】
また、前記枠状装飾部材４０には、図２に示すように、前記前側表示窓部４１の下側(枠状装飾部材４０の内周下縁部)にステージ４６が配設されると共に、当該前側表示窓部４１の左側部(第１の流下領域２２ａ側の側部)を形成する区画壁部４４に、前記遊技領域２２に開口すると共にステージ４６に連通する球導入部４７が設けられ、前記遊技領域２２(第１の流下領域２２ａ)を流下するパチンコ球を、当該球導入部４７の枠状装飾部材４０の内側(ステージ４６)に取り込み得るよう構成されている。そして、球導入部４７からステージ４６に取り込まれたパチンコ球は、ステージ４６の上面となる転動面を左右に転動した後に、前記第１始動入賞部５１の第１始動入賞口５１ａの上方で遊技領域２２に排出されるようになっている。すなわち、ステージ４６によりパチンコ球を第１始動入賞部５１の配設位置上方まで誘導することで、球導入部４７に取り込まれずに第１の流下領域２２ａを流下したパチンコ球が第１始動入賞部５１に入賞する確率よりも、球導入部４７に取り込まれたパチンコ球が第１始動入賞部５１に入賞する確率のほうが高くなるようにしている。また、前記ステージ４６の後端部には、当該ステージ４６の左右方向の全長に亘って転動面から上側に向けて所定高さで立上がる仕切壁４８が設けられ、ステージ４６上を転動するパチンコ球が図柄表示装置１７の表示部１７ａ側に移動するのを該仕切壁４８で防止している。また、透明壁の上端縁に、前記前枠１３における透視保護部材の裏面に近接する位置(透視保護部材との間をパチンコ球が通過できない隙間となる位置)まで張り出す張出部４８ａが設けられ、遊技釘３２に接触して跳ねたパチンコ球が表示部１７ａ側に移動するのを張出部４８ａで防止している。
【００３０】
(入球部について) 
図２に示すように、前記遊技盤２０には、パチンコ球が入賞可能な複数の入球部が前記遊技領域２２内に配設されており、パチンコ球が入球した入球部に応じた制御が実行されることで所定の遊技を行い得るようになっている。具体的に、実施例のパチンコ機１０では、前記入球部としての第１始動入賞部５１が前記第１の流下領域２２ａに位置するよう配置されると共に、前記入球部としての第２始動入賞部５２、特別入賞部７０およびゲート部１００が前記第２の流下領域２２ｂに位置するよう配置されている。すなわち、実施例に係るパチンコ機１０では、前記第１の流下領域２２ａをパチンコ球が流下する場合(左打ち遊技の場合)に、パチンコ球が第２の流下領域２２ｂを流下する場合に較べて第１始動入賞部５１の第１始動入賞口５１ａにパチンコ球が入賞する可能性が高くなるよう構成されると共に、該第２の流下領域２２ｂをパチンコ球が流下する場合(右打ち遊技の場合)に、パチンコ球が第１の流下領域２２ａを流下する場合に較べて第２始動入賞部５２の第２始動入賞口５２ａや特別入賞部７０の特別入賞口７１、ゲート部１００のゲート通過口１０４へパチンコ球が入賞する可能性が高くなるよう構成されている。従って、操作レバー１６ａの回動操作により左打ち遊技および右打ち遊技に遊技者が能動的に切り替えることで、パチンコ球が入賞可能な入賞部を切り替え得るようになっている。
【００３１】
具体的には、実施例のパチンコ機１０では、前記枠状装飾部材４０の形状や遊技釘３２の配置等により、前記第２の流下領域２２ｂを流下したパチンコ球が第１始動入賞部５１に略入賞し得ないよう構成されると共に、前記第１の流下領域２２ａを流下したパチンコ球が第２始動入賞部５２や特別入賞部７０、ゲート部１００に略入賞し得ないよう構成されている。なお、実施例の遊技盤２０には、前記第１および第２の流下領域２２ａ,２２ｂの夫々に位置するよう入球部としての普通入賞部５５,５６が配置されており、第１および第２の流下領域２２ａ,２２ｂを流下させたパチンコ球が普通入賞部５５,５６に入賞し得るようになっている。また、実施例では、後述するように、第２の流下領域２２ｂに配設された入賞ユニット６０(後述)に対して前記特別入賞部７０、ゲート部１００および右側の普通入賞部５６が設けられている。
【００３２】
(第１始動入賞部５１について)
前記第１始動入賞部５１は、図２に示すように、前記枠状装飾部材４０の下方位置(アウト口３０の直上位置)に、パチンコ球が入賞(入球)可能な第１始動入賞口(始動口)５１ａが上方に開口するよう設けられている。第１始動入賞部５１の第１始動入賞口５１ａは、常に一定の開口幅で開口するよう構成されており、前記第１の流下領域２２ａを流下するパチンコ球が一定の確率で第１始動入賞口５１ａに入賞し得るようになっている。すなわち、第１始動入賞部５１は、パチンコ球の入賞確率が変化しない固定始動入賞部である。また、前記第１始動入賞部５１は、第１始動入賞口５１ａに入賞したパチンコ球の排出経路(図示せず)に、パチンコ球を検出する検出手段としての第１始動入賞検出センサＳＥ１(図７参照)が配設されている。第１始動入賞検出センサＳＥ１は、前記設置部材３５の裏面に配設されたメイン制御基板３０１に配線接続されており、該第１始動入賞検出センサＳＥ１からの検出信号がメイン制御基板３０１のメイン制御ＣＰＵ３０１ａに入力されることを契機として、特別遊技(大当り遊技や小当り遊技)を生起させるかに関する特図当り判定(当り判定)をメイン制御ＣＰＵ３０１ａが実行すると共に、該メイン制御ＣＰＵ３０１ａが所定数(例えば３個)の賞球の払い出しを決定するようになっている。そして、賞球の払出決定に基づいてメイン制御基板３０１から払出制御基板３０６に対して払出制御信号が出力されて、当該払出制御基板３０６に基づいて球払出装置(図示せず)が作動されることで前記球受け皿１４に賞球が払い出されるようになっている。すなわち、実施例のパチンコ機１０では、第１始動入賞口５１ａへのパチンコ球の入賞(第１始動入賞検出センサＳＥ１からの検出信号の入力)を判定実行条件および賞球の払出条件として設定されている。
【００３３】
(第２始動入賞部５２について)
前記第２始動入賞部５２は、図２に示すように、パチンコ球が入賞(入球)可能な図示しない第２始動入賞口(始動口)５２ａと、当該始動入賞口５２ａを開閉する開閉部材５２ｂとを備えている。そして、駆動手段としての始動入賞ソレノイドＳＬ１(図７参照)の駆動に伴って、パチンコ球が入賞不能となるよう第２始動入賞口５２ａを閉鎖する閉鎖位置と、パチンコ球が可能となるよう第２始動入賞口５２ａを第２の流下領域２２ｂ内に開口する開放位置とに前記開閉部材５２ｂが開閉変位するよう構成され、当該開閉部材５２ｂが開放位置に変位することで、第２の流下領域２２ｂを流下するパチンコ球が第２始動入賞口５２ａに入賞し得るようになっている。すなわち、第２始動入賞口５２ａは、開閉部材５２ｂの開閉に伴ってパチンコ球の入賞確率が変化(可変)する可変始動入賞部である。なお、前記第２始動入賞部５２の開閉部材５２ｂは、下端部に位置して前後に延在する回転軸を中心として上端部が左右方向に揺動する羽根状に形成してある。なお、実施例における第２始動入賞部５２は、前記第２の流下領域２２ｂを画成する前記枠状装飾部材４０の右側部に配設されている。
【００３４】
また、前記第２始動入賞部５２は、前記第２始動入賞口５２ａに入賞したパチンコ球の排出経路(図示せず)に、パチンコ球を検出する検出手段としての第２始動入賞検出センサＳＥ２を備えている。第２始動入賞検出センサＳＥ２は、前記メイン制御基板３０１に配線接続されており(図７参照)、該第２始動入賞検出センサＳＥ２からの検出信号がメイン制御基板３０１のメイン制御ＣＰＵ３０１ａに入力されることを契機として、特別遊技(大当り遊技や小当り遊技)を生起させるかに関する特図当り判定(当り判定)をメイン制御ＣＰＵ３０１ａが実行すると共に、該メイン制御ＣＰＵ３０１ａが(例えば３個)賞球の払い出しを決定するようになっている。そして、賞球の払出決定に基づいてメイン制御基板３０１から払出制御基板３０６に対して払出制御信号が出力されて、当該払出制御基板３０６に基づいて球払出装置(図示せず)が作動されることで前記球受け皿１４に賞球が払い出されるようになっている。すなわち、実施例のパチンコ機１０では、第２始動入賞口５２ａへのパチンコ球の入賞(第２始動入賞検出センサＳＥ２からの検出信号の入力)を判定実行条件および賞球の払出条件として設定されている。
【００３５】
ここで、実施例のパチンコ機１０では、第１および第２始動入賞検出センサＳＥ１,ＳＥ２によるパチンコ球の検出(第１または第２始動入賞口５２ａ５１ａ,へのパチンコ球の入賞)に伴って各種情報(乱数)が取得され、この取得した情報に基づいて特図当り遊技を生起させるか否かに関する特図当り判定が行われるよう構成されている。そして、特図当り判定の結果に基づいて前記図柄表示装置１７において図柄変動演出が実行され、特図当り判定の判定結果が肯定判定の場合に、該図柄表示装置１７での図柄変動演出の結果、該図柄表示装置１７の表示部１７ａに所定の当り表示となる組合せ(例えば同一演出図柄の３つ揃い等)で演出図柄が確定停止表示されることで、遊技者に有利な特別遊技(大当り遊技や小当り遊技等の特別遊技)が付与されるようになっている。そして、特図当り遊技の発生に伴って特別入賞部７０の開閉部材７３(後述)が作動変位されて、特別入賞口７１へのパチンコ球の入賞に伴い遊技者が賞球を獲得し得る機会が与えられるよう構成されている。ここで、前記メイン制御基板３０１には、前記図柄表示装置１７を制御する演出制御基板３０２が配線接続されており、当該メイン制御基板３０１から入力される制御信号に基づいて演出制御基板３０２が図柄表示装置１７を制御することで所定の図柄変動演出が実行されるようになっている。
【００３６】
(普通入賞部５５,５６について)
図２に示すように、前記普通入賞部５５,５６は、前記遊技領域２２の左右下部位置において、パチンコ球が入賞(入球)可能な普通入賞口５５ａ,５６ａが上方に常時開口するよう前記遊技盤２０に設けられており、第１の流下領域２２ａを流下するパチンコ球および第２の流下領域２２ｂを流下するパチンコ球の夫々が一定の確率で普通入賞口５５ａ,５６ａに入賞し得るようになっている。すなわち、普通入賞部５５,５６は、パチンコ球の入賞確率が変化しない固定入賞部である。実施例では、遊技盤２０の左下部位置に配設された左側の入賞ユニット５８に３つの普通入賞部５５が設けられ、遊技盤２０の右下部位置に配設された右側の入賞ユニット６０に１つの普通入賞部５６が設けられている。ここで、前記右側の入賞ユニット６０には、前記特別入賞部７０およびゲート部１００が備えられており、特別入賞部７０２、ゲート部１００および普通入賞部５６を備えた複合ユニットとして構成されている。また、前記左側の入賞ユニット５８の各普通入賞部５５は、各普通入賞口５５ａに入賞したパチンコ球を合流して通過させる排出経路(図示せず)に、当パチンコ球を検出する入賞検出手段としての普通入賞検出センサＳＥ５(図７参照)を備えると共に、前記右側の入賞ユニット６０の普通入賞部５６は、普通入賞口５６ａに入賞したパチンコ球を通過させる排出経路(図示せず)に、パチンコ球を検出する入賞検出手段としての普通入賞検出センサＳＥ６(図７参照)を備えている。前記普通入賞検出センサＳＥ５,ＳＥ６は、パチンコ機１０の裏側に配設された制御手段としてのメイン制御基板３０１に配線接続されている。そして、普通入賞検出センサＳＥ５,ＳＥ６からの検出信号がメイン制御基板３０１のメイン制御ＣＰＵ３０１ａに入力されることを賞球の払出条件として、該メイン制御ＣＰＵ３０１ａが所定数(例えば１０個)の賞球の払い出しを決定するようになっている。そして、賞球の払出決定に基づいてメイン制御基板３０１から払出制御基板３０６に対して払出制御信号が出力されて、当該払出制御基板３０６に基づいて球払出装置(図示せず)が作動されることで前記球受け皿１４に賞球が払い出されるようになっている。
【００３７】
(入賞ユニット６０について)
前記入賞ユニット６０は、図２〜図６に示すように、前記第２の流下領域２２ｂ内に位置するよう前記遊技盤２０(板状部材２１)の前面に固定される薄板状の取着部６１に対して、前記特別入賞部７０およびゲート部１００が設けられて、当該特別入賞部７０およびゲート部１００の夫々が第２の流下領域２２ｂ内に位置するよう構成されている。すなわち、前記特別入賞部７０に設けられたパチンコ球が入賞(入球)可能な特別入賞口(入賞口)６０ａが第２の流下領域２２ｂ内で開口すると共に、前記ゲート部１００に設けられたパチンコ球が通過可能なゲート通過口１０４が第２の流下領域２２ｂ内で開口するよう構成されている。具体的には、前記枠状装飾部材４０の右下方位置に前記入賞ユニット６０が配設されている。すなわち、特別入賞部７０とゲート部１００とは、１つのユニットとして構成されており、遊技盤２０に対して一体的に着脱し得るようになっている。
【００３８】
ここで、前記取着部６１は、前記案内レール２３(内レール部材２５)に沿って上下方向に延在するレール側取着部６１ａと、当該レール側取着部６１ａの下端部に連設すると共に案内レール２３(内レール部材２５)から離間するよう左右方向に延在する入賞部側取着部６１ｂとを備え、当該入賞部側取着部６１ｂに前記特別入賞部７０およびゲート部１００が設けられている。なお、前記取着部６１(入賞ユニット６０)を前記板状部材２１に取り付けた状態で、第２の流下領域２２ｂを流下するパチンコ球が前面側を通過可能な厚みで取着部６１の全体が形成されている。そして、前記入賞ユニット６０において、前記レール側取着部６１ａと入賞部側取着部６１ｂとが繋がる連設部に前記普通入賞部５６が設けられている。なお、前記普通入賞部５６は、上方および後方へ開口する樋状に形成されて、パチンコ球が入賞(入球)可能な普通入賞口５６ａが前記取着部６１の前側において上方に開口する樋状に形成されている。
【００３９】
(特別入賞部７０について)
前記特別入賞部７０は、図３、図４に示すように、前記取着部６１(入賞部側取着部６１ｂ)にパチンコ球が入賞(入球)可能に形成された特別入賞口７１と、当該取着部６１(入賞部側取着部６１ｂ)の後側に配設されて特別入賞口７１に連通する入賞空間７２ａが形成された入賞部本体７２と、当該特別入賞口７１を開閉する開閉部材７３と、当該開閉部材７３を開閉作動する駆動部７５とから基本的に構成されている。なお、実施例の特別入賞部７０を構成する駆動部は、前記入賞部本体７２に設けられた駆動手段としての特別ソレノイドＳＬ２(図７参照)と、当該特別ソレノイドＳＬ２および開閉部材７３を連係する作動部材(図示せず)とから構成されている。そして、特別入賞ソレノイドＳＬ２の駆動に伴って作動部材が作動することで、パチンコ球が入賞不能となるよう特別入賞口７１を閉鎖する閉鎖位置と、パチンコ球が入賞可能となるよう特別入賞口７１を開放する開放位置とに前記開閉部材７３が開閉変位するよう構成され、当該開閉部材７３が開放位置に変位することで、第２の流下領域２２ｂを流下するパチンコ球が特別入賞口７１に入賞し得るようになっている。ここで、前記特別入賞口７１は、前記取着部６１を前後方向に貫通するよう左右方向に幅広な横長矩形状に形成されて、上下開口幅がパチンコ球１個ずつの通過を許容する寸法に設定されると共に、左右開口幅が複数個のパチンコ球を並べることでできる寸法に設定されて、横並び状のパチンコ球が一度に特別入賞口７１を通過(入賞)し得るようになっている。
【００４０】
(入賞部本体７２について)
図３、図４に示すように、前記入賞部本体７２は、前方に開放する入賞空間７２ａが画成された箱状に形成されており、前記取着部６１に開設された特別入賞口７１の後方開口に対して入賞空間７２ａの前方開口を後側から整合させた状態で、当該取着部６１に対して入賞部本体７２がネジ等により固定されている。ここで、前記入賞空間７２ａは、前記特別入賞口７１に合わせて前方開口の上下開口幅および左右開口幅が設定され、特別入賞口７１を一度に入賞した複数個のパチンコ球を受け入れ可能に構成されている。なお実施例の入賞部本体７２は、透明な樹脂材により形成された上下のケース体８０,８２から構成されて、当該入賞部本体７２が光を透過可能に構成されている。また、前記入賞部本体７２には、パチンコ球の通過を許容する球通過口８１が前記入賞空間７２ａの前方開口に対向する奥側位置に設けられており、入賞空間７２ａに入賞したパチンコ球が当該球通過口８１を介して排出されるようになっている。なお、球通過口８１は、入賞空間７２ａの右側に偏倚した位置に、パチンコ球１個ずつの通過を許容する開口寸法で前後方向に開口するよう設けられている(図５(b)参照)。なお、前記入賞部本体７２の左後方位置に、前記特別ソレノイドＳＬ２や作動部材を設置する駆動設置部７７が設けられている。
【００４１】
前記入賞部本体７２には、図３(b)に示すように、前記球通過口８１の後方位置に、当該球通過口８１を通過したパチンコ球を図示しない排出通路へ案内する通路画成部７８が設けられている。前記通路画成部７８は、前方および下方に開口すると共にパチンコ球１個ずつの通過を許容する通路幅に形成されて、前方開口が前記球通過口８１の後方に臨むよう構成されて、前方開口から受け入れたパチンコ球を、下方に向けて開口する球出口７８ａから排出するようになっている。
【００４２】
図３(b)に示すように、前記入賞部本体７２には、前記球通過口８１と通路画成部７８との間にセンサ保持部７９が設けられており、当該球通過口８１(通路画成部７８)を通過するパチンコ球を検出する入賞検出手段としての特別入賞検出センサＳＥ３が当該センサ保持部７９に保持されるようになっている。前記特別入賞検出センサＳＥ３は、パチンコ機１０の裏側に配設された制御手段としてのメイン制御基板３０１に配線接続されている。そして、特別入賞検出センサＳＥ３からの検出信号がメイン制御基板３０１のメイン制御ＣＰＵ３０１ａに入力されることを賞球の払出条件として、該メイン制御ＣＰＵ３０１ａが所定数(例えば１５個)の賞球の払い出しを決定するようになっている。そして、賞球の払出決定に基づいてメイン制御基板３０１から払出制御基板３０６に対して払出制御信号が出力されて、当該払出制御基板３０６に基づいて球払出装置(図示せず)が作動されることで前記球受け皿１４に賞球が払い出されるようになっている。なお、前記特別入賞検出センサＳＥ３は、当該センサＳＥ３の長手が左右方向に延在すると共に検出口ＳＥ３ａが前後方向に開口する姿勢でセンサ保持部７９に配設されている。
【００４３】
(開閉部材７３について)
図３、図４に示すように、前記開閉部材７３は、特別入賞口７１の開口形状に略合致する横長矩形板状に形成されている。そして、前記特別入賞口７１を閉鎖する姿勢において、前記開閉部材７３の左側下端部および右側下端部に側方へ開口する軸孔７３ａが設けられており、当該左右の軸孔７３ａに挿通した支軸ピン８４を、前記入賞部本体７２の前側下部位置に、前記入賞空間７２ａの前方開口を挟むよう左右に離間して設けられた一対の支持部８３,８３の支軸孔８３ａに挿通することで、開閉部材７３が入賞部本体７２に回動自在に支持されるようになっている。そして、開閉部材７３の裏面(特別入賞口７１を閉鎖した状態で入賞空間７２ａに臨む面)における左側下端部には、前記作動部材に連係する連係受部７３ｂが形成されており、前記特別ソレノイドＳＬ２の駆動に伴って作動部材が揺動することにより連係受部７３ｂが作動されて、開閉部材７３が支軸ピン８４を中心として回動(開閉変位)するよう構成されている。
【００４４】
すなわち、前記特別入賞部７０の開閉部材７３は、前記ゲート部１００から離間する下端部側に位置する支軸ピン８４を中心として回動可能に軸支されて、支軸ピン８４からり関する自由端部７４が前記特別入賞口７１の開口上縁部(開口縁部)７１ａに対して近接または当接して当該特別入賞口７１を閉鎖する閉鎖状態と、自由端部７４が取着部６１の前方へ離間するよう揺動して特別入賞口７１を開放する開放状態との間で回動するよう構成されている。なお、前記開閉部材７３が開放した状態では、特別入賞口７１の下側から前方(遊技領域２２)へ向けて開閉部材７３が延在するよう構成されて、遊技領域２２(第２の流下領域２２ｂ)を流下するパチンコ球を開閉部材７３で受け止めて、特別入賞口７１に案内するようになっている。なお、前記取着部６１の前面側には、前記特別入賞口７１の開口上縁部７１ａ側に、当該特別入賞口７１を閉鎖した開閉部材７３の自由端部７４が嵌まり込む凹部６４が形成されており、当該特別入賞口７１を閉鎖する閉鎖状態において、開閉部材７３の自由端部７４に不正器具等を係止させて強制的に開放する不正行為を防止するようになっている。
【００４５】
また、図３(b)、図５(b)に示すように、前記入賞部本体７２には、前方へ光を照射する発光体としてのＬＥＤ８６ａを備えた発光体基板８６が前記通路画成部７８の後側に配設されており、当該ＬＥＤ８６ａの光により通路画成部７８を後方から照明し得るよう構成されている。ここで、前記ＬＥＤ８６ａは、前記球通過口８１が形成された高さ位置に位置するよう設けられて、当該球通過口８１の後方に位置するよう構成されており、特別入賞検出センサＳＥ３の検出口ＳＥ３ａおよび球通過口８１を介して入賞空間７２ａの内側を照明し得るようになっている。また、前記取着部６１および開閉部材７３は、光を透過可能に構成された光透過部が設けられ、入賞空間７２ａを照らす光により特別入賞口７１を閉鎖する開閉部材７３の光透過部や、透明な入賞部本体７２を透過した光により取着部６１の光透過部を照明し得るようになっている。なお、前記通路画成部７８には、前記ＬＥＤ８６ａから照射した光を拡散する所要の光拡散処理が施されており、ＬＥＤ８６ａの光により入賞空間７２ａの内部を広範囲に照明し得るようになっている。
【００４６】
(ゲート部１００)
前記ゲート部１００は、図３〜図６に示すように、前記特別入賞部７０の上側に位置するよう前記取着部６１(入賞部側取着部６１ｂ)の前側に設けられた本体部１０３と、前記遊技領域２２(第２の流下領域２２ｂ)内でパチンコ球が通過(入球)可能な入口および出口が開口するよう本体部１０３に貫通形成されたゲート通過口(通過口)１０４と、当該ゲート通過口１０４を通過するパチンコ球を検出するゲートセンサ(球検出センサ)ＳＥ７とを備えている。なお、以下の説明では、前記ゲート部１００においてゲート通過口１０４の入口１０４ａが形成された面を上面部１０１と指称し、ゲート通過口１０４の出口１０４ｂが形成された面を底面部１０２と指称して区別する場合がある。
【００４７】
また、図４に示すように、前記取着部６１(入賞部側取着部６１ｂ)には、前記ゲート部１００の形成位置に、前後に貫通するセンサ挿通口１０５が開設されている。そして、前記ゲートセンサＳＥ７の長手を前後方向に延在させると共にパチンコ球の通過を検出する検出口ＳＥ７ａを前側に位置させた姿勢で、前記センサ挿通口１０５の後方からゲートセンサＳＥ７を差し込むことで、当該検出口ＳＥ７ａを取着部６１の前側に臨ませるよう構成される。なお、前記センサ挿通口１０５に挿通したゲートセンサＳＥ７は、前記本体部１０３の後述する左右のガイド部１０７,１０８により左右位置が位置決めされ、当該本体部１０３の前側受け部１０９により左右位置が位置決めされるようになっている。また、前記取着部６１の裏面には、当該取着部６１の裏側に突出するゲートセンサＳＥ７を支持するセンサ支持部(図示せず)が設けられると共に、前記センサ挿通口１０５に差し込んだゲートセンサＳＥ７の後端部に対して係脱可能に係合する係合爪部１０６が設けられており、当該係合爪部１０６がゲートセンサＳＥ７の後端部に係合することで、センサ挿通口１０５からゲートセンサＳＥ７が抜け落ちるのを防止するようになっている。なお、前記係合爪部１０６は、前記ゲートセンサＳＥ７の後端部から離脱して係合が解除される位置に弾性変形可能に構成されて、当該係合爪部１０６を弾性変形することで、センサ挿通口１０５の後方へゲートセンサＳＥ７を抜き出し得るようになっている。
【００４８】
前記センサ挿通口１０５は、図６に示すように、前記検出口ＳＥ７ａの中心を通る直線が左右方向に傾斜する姿勢で前記ゲートセンサＳＥ７を差し込み得るよう開設されている。具体的には、前記検出口ＳＥ７ａにおいてパチンコ球が通入する入口側が右上方(ゲート部１００が配設された第２の流下領域２２ｂを画成する枠状装飾部材４０の右側端部側)を向くと共にパチンコ球が通出する出口側が左下方を向く姿勢でゲートセンサＳＥ７を差し込み得るよう構成されている。なお、前記検出口ＳＥ７ａの中心を通る直線は、前記取着部６１(遊技盤２０)に対しては略平行な姿勢で保持される。
【００４９】
ここで、前記ゲートセンサＳＥ７は、前記メイン制御基板３０１(図７参照)に配線接続されており、該ゲートセンサＳＥ７からメイン制御基板３０１への球検出信号の入力(すなわちパチンコ球の検出)に伴って普図当り判定条件(第２の当り判定条件)が成立するようになっている。そして、普図当り判定条件の成立に伴って普図当り遊技を生起させるか否かに関する普図当り判定が行われ、該普図当り判定の結果に応じて前記第２始動入賞部５２の始動入賞ソレノイドＳＬ１が駆動制御されて、当該第２始動入賞部５２の開閉部材５２ｂが開閉動作するようになっている。すなわち、実施例のパチンコ機１０は、ゲートセンサＳＥ７によるパチンコ球の検出を契機として行われる普図当り判定の判定結果が当りの判定である場合に、前記第２始動入賞部５２の第２始動入賞口５２ａを所定の開放条件で開放する普図当り遊技が行われて、当該第２始動入賞口５２ａへパチンコ球を入賞させ得る機会が与えられるようになっている。
【００５０】
(本体部１０３について)
図４に示すように、前記ゲート部１００の本体部１０３は、前記取着部６１の前方へ突出すると共に相互に対向する一対のガイド部１０７,１０８と、当該一対のガイド部１０７,１０８の前端部に連設するよう設けられた前側受け部１０９とを備え、当該取着部６１、一対のガイド部１０７,１０８および前側受け部１０９により前記ゲート通過口１０４を画成するよう形成されている。ここで、ゲート通過口１０４は、１個のパチンコ球が通過可能な開口幅となる大きさで形成されている。なお、実施例では、前記本体部１０３は、前記取着部６１に対して一体的に樹脂成形されているが、当該本体部１０３を取着部６１とは別に形成して、ネジ等に寄り固定することが可能である。
【００５１】
前記一対のガイド部１０７,１０８の夫々は、図５に示すように、前後に延在するガイド溝１０７ａ,１０８ａが対向面側に形成された断面コ字状に形成されており、前記センサ挿通口１０５に差し込まれたゲートセンサＳＥ７において検出口ＳＥ７ａを挟んで対向する左右の側部がガイド溝１０７ａ,１０８ａに嵌合して保持されるようになっている。すなわち、前記ゲートセンサＳＥ７の左右の側部がガイド溝１０７ａ,１０８ａに嵌まり込むと共に、ゲートセンサＳＥ７の前端部が前記前側受け部１０９の後面に当接することで、前記検出口ＳＥ７ａが前記ゲート通過口１０４に整合する位置(第２の流下領域２２ｂ内で開口する位置)に、当該ゲートセンサＳＥ７の左右位置および前側位置が位置決めされるようになっている。なお、以下の説明では、前記ゲート通過口１０４を挟んで対向する一対のガイド部１０７,１０８の内で、左上側に位置するガイド部を左ガイド部１０７と指称し、右下側に位置するガイド部を右ガイド部１０８と指称して区別する場合がある。すなわち、前記左右のガイド部１０７,１０８において、前記ゲートセンサＳＥ７の上面側に当接して前記ゲート通過口１０４の入口１０４ａを形成する支持片が前記ゲート部１００の上面部１０１を形成し、当該ゲートセンサＳＥ７の下面側に当接してゲート通過口１０４の出口１０４ｂを形成する支持片が前記ゲート部１００の底面部１０２を形成している。
【００５２】
(球誘導部６２について)
前記入賞ユニット６０には、図３、図４、図６に示すように、前記レール側取着部６１ａの上部に、当該レール側取着部６１ａの前方へ突出する球誘導部６２が形成されている。そして、前記球誘導部６２の上面６２ａは、前記案内レール２３(内レール部材２５)から離間する方向(すなわち実施例では左方向)へ下方傾斜するよう傾斜形成されて、前記枠状装飾部材４０の右側端部側を流下するパチンコ球を、前記特別入賞部７０やゲート部１００の配設位置へ向けて誘導し得るよう構成されている。すなわち、前記球誘導部６２は、パチンコ球を前記ゲート部１００に向けて誘導する誘導手段の一部を構成している。なお、前記球誘導部６２は、上面６２ａの傾斜上端部(右端部)が前記案内レール２３(内レール部材２５)に対して近接位置しており、当該球誘導部６２と案内レール２３との間をパチンコ球が通過不能となるよう構成されている。
【００５３】
また、図６に示すように、前記遊技盤２０(板状部材２１)には、前記ゲート部１００が配置されている第２の流下領域２２ｂに、前記入賞ユニット６０に設けられた球誘導部６２の傾斜下端部に連続するよう複数の遊技釘３２が配置されている。前記球誘導部６２に連続する複数の遊技釘３２は、前記ゲート部１００へ向けて下方傾斜するよう連続して設けられており、前記第２の流下領域２２ｂを流下するパチンコ球をゲート部１００へ向けて誘導し得るようになっている。すなわち、前記球誘導部６２の傾斜方向に直線状に連続するよう設けられた複数(実施例では６本)の遊技釘３２は、パチンコ球を前記ゲート部１００に向けて誘導する誘導手段の一部を構成している。ここで、以下の説明において、前記球誘導部６２の傾斜方向にゲート部１００へ向けて直線状に連続した遊技釘群を誘導連釘３２Ａと指称する場合がある。なお、前記誘導連釘３２Ａは、所定位置にパチンコ球が通過可能な間隔で上下に開口する間隙Ｓが形成されるよう遊技釘３２が配置されており、当該誘導連釘３２Ａ上を転動するパチンコ球が当該間隙Ｓを介してゲート部１００から逸れるように流下し得るようになっている。そして、誘導連釘３２Ａの間隙Ｓの下方に前記普通入賞部５６が位置するよう構成され、当該間隙Ｓをパチンコ球が通過することで普通入賞部５６の普通入賞口５６ａに入賞し得るようになっている。
【００５４】
ここで、前記ゲート部１００は、図６に示すように、前記入賞ユニット６０を遊技盤２０に配設した状態で、前記ゲート通過口１０４の入口１０４ａが前記誘導連釘３２Ａの傾斜下端部側に向くように傾斜した姿勢で固定される。すなわち、前記ゲート部１００は、当該ゲート部１００が配設された第２の流下領域２２ｂを画成する前記枠状装飾部材４０の右側端部側に、前記ゲート通過口１０４の入口１０４ａが向くよう傾斜配置されている。このように、ゲート通過口１０４が鉛直方向に貫通する姿勢でゲート部１００を設ける構成と比べて、当該ゲート部１００を傾斜姿勢で取り付けることにより、前記誘導連釘３２Ａに沿って誘導されたパチンコ球がゲート通過口１０４に入り易くしている。なお、前記遊技盤２０(板状部材２１)には、前記ゲート部１００のゲート通過口１０４の入口１０４ａ側に、当該ゲート部１００を保護する一対の遊技釘３２がゲート通過口１０４の開口幅に合わせて設けられており、前記誘導連釘３２Ａに沿って誘導されたパチンコ球がゲート部１００の上面部１０１に直接接触して損傷するのを防止するよう構成されている。また、前記誘導連釘３２Ａの傾斜下端部と、ゲート部１００を保護する遊技釘３２との間には、誘導連釘３２Ａが形成する直線の延長線より上側に遊技釘３２が位置するよう設けられており、誘導連釘３２Ａに沿って誘導されたパチンコ球がゲート通過口１０４に流入する割合を調節するようにしている。
【００５５】
(特別入賞部７０およびゲート部１００の関係について)
次に、前記特別入賞部７０およびゲート部１００の配置関係について説明する。なお、特別入賞部７０およびゲート部１００の配置関係に関する説明では、特に断りのない限り、当該特別入賞部７０の開閉部材７３が特別入賞口７１を閉鎖した状態を基準に説明する。図５に示すように、前記ゲート部１００は、前記特別入賞口７１の上側で、かつ当該特別入賞口７１における左右方向の開口範囲内に前記ゲート通過口１０４が位置するよう隣接して前記取着部６１に配置されている。具体的には、前記ゲート通過口１０４の出口１０４ｂが開口する底面部１０２を前記特別入賞部７０の特別入賞口７１が開口する形成位置に向けた姿勢で前記ゲート部１００が特別入賞部７０に隣接して配置されており、当該特別入賞部７０の開閉部材７３が特別入賞口７１を開放した状態でゲート通過口１０４を通過したパチンコ球が当該開閉部材７３に受け止められて特別入賞口７１に入賞し得るよう構成されている。ここで、前記遊技盤２０(板状部材２１)においてゲート部１００(本体部１０３)から特別入賞部７０の特別入賞口７１に至るまでの間に、遊技釘２８や風車などのパチンコ球の流下方向に変化を与える部品を配置しないよう構成され、ゲート通過口１０４を通過したパチンコ球がそのまま開閉部材７３上に落下し得るようになっている。実施例では、前記特別入賞口７１に形成された前記球通過口８１の前側上方に位置するよう前記ゲート部１００のゲート通過口１０４が位置するようゲート部１００(本体部１０３)が設けられており、当該ゲート通過口１０４を通過したパチンコ球が、球通過口８１の前側左側方に落下するようになっている。すなわち、前記特別入賞部７０が備える前記ＬＥＤ８６ａの光が、前記ゲート通過口１０４を通過したパチンコ球により遮られるのを防止するようになっており、当該ＬＥＤ８６ａの光による装飾効果や演出効果を損なわないようにしている。
【００５６】
ここで、前記ゲート部１００は、図５に示すように、前記ゲート通過口１０４の出口１０４ｂが開口する底面部１０２が右下がりに傾斜するよう構成されている。一方で、前述のように、前記特別入賞部７０は、前記特別入賞ソレノイドＳＬ２の駆動に伴う開閉動作により前記特別入賞部７０の開口上縁部７１ａに対して近接および離間するように変位する前記開閉部材７３の自由端部７４が左右方向に直線状に延在するよう構成されている。すなわち、前記ゲート部１００の底面部１０２が位置する仮想面(平面)Ｍに対し、特別入賞部７０の開閉部材７３の自由端部７４が傾斜方向に延在するようされている。このように、ゲート部１００の底面部１０２が位置する仮想面Ｍと、特別入賞部７０の開閉部材７３の自由端部７４とが傾斜状に交差するようにすることで、当該開閉部材７３の自由端部７４に対する底面部１０２の傾斜上端側に、パチンコ球が退避可能な空間を形成するよう構成され、当該底面部１０２の傾斜下端側において開閉部材７３の自由端部７４とゲート部１００とに同時に接触したパチンコ球が挟まれるのを防ぐようになっている。
【００５７】
具体的に、前記特別入賞部７０およびゲート部１００は、図５に示すように、当該ゲート部１００の底面部１０２の右下端部Ｔ１(ゲート部１００の底面部１０２においてゲート通過口１０４を挟んで遊技盤２０の盤面に沿う方向に対向する一方端部)から、当該特別入賞部７０の開閉部材７３の自由端部７４までの間隔が最も狭くなるよう構成される。そして、前記ゲート部１００の底面部１０２の左上端部Ｔ２(ゲート部１００の底面部１０２においてゲート通過口１０４を挟んで遊技盤２０の盤面に沿う方向に対向する他方端部)から近づくにつれて、当該底面部１０２から開閉部材７３の自由端部７４までの間隔が拡大するようになっており、当該底面部１０２の左上端部Ｔ２において特別入賞部７０の開閉部材７３の自由端部７４までの間隔が最も広くなるよう構成される。
【００５８】
ここで、図５に示すように、前記ゲート部１００における底面部１０２の右下端部Ｔ１から前記特別入賞部７０の開閉部材７３の自由端部７４までの間隔Ｈ１は、パチンコ球の直径Ｌ(略１１ｍｍ)に満たない間隔(Ｈ１＜Ｌ)となるよう設定されている。そして、前記ゲート部１００における底面部１０２の左上端部Ｔ２から前記特別入賞部７０の開閉部材７３の自由端部７４までの間隔Ｈ２は、パチンコ球の直径Ｌ以上の間隔(Ｈ２≧Ｌ)となるよう設定されている。すなわち、前記特別入賞部７０の開閉部材７３が開放位置から閉鎖位置に変位する際に、前記底面部１０２の右下端部Ｔ１および開閉部材７３の自由端部７４に同時に接触する一方で、底面部１０２の左上端部Ｔ２および開閉部材７３の自由端部７４の間にパチンコ球が挟まれないように構成されている。言い換えると、前記ゲート部１００における底面部１０２の右下端部Ｔ１に対して左側(左上端部Ｔ２側)に、当該右下端部Ｔ１および自由端部７４の間に同時に接触したパチンコ球が退避可能な空間が画成されるよう構成されている。ここで、前記底面部１０２の左上端部Ｔ２から前記開閉部材７３の自由端部７４までの間隔Ｈ２をパチンコ球の直径Ｌを超える間隔(Ｈ２＞Ｌ)となるよう設定することで、右下端部Ｔ１と自由端部７４との間に挟まれたパチンコ球をより確実に逃がすことが可能となる。なお、実施例では、前記底面部１０２の右下端部Ｔ１から開閉部材７３の自由端部７４までの間隔Ｈ１は３ｍｍ程度に設定され、底面部１０２の左上端部Ｔ２から開閉部材７３の自由端部７４までの間隔Ｈ２は１５ｍｍ程度に設定されている。
【００５９】
また、実施例のゲート部１００は、図５に示すように、前記底面部１０２におけるゲート通過口１０４の右側開口縁部Ｎ１(右下端部Ｔ１に近接する開口縁部)から前記特別入賞部７０の開閉部材７３の自由端部７４までの間隔Ｈ３がパチンコ球の直径Ｌ以下の間隔(Ｈ３≦Ｌ)となる位置に配置されている。すなわち、記特別入賞部７０の開閉部材７３が開放位置から閉鎖位置に変位する際に、前記底面部１０２において右下端部Ｔ１から右側開口縁部Ｎ１までの間に位置する部位(以下、右底面部１０２Ａという場合がある)に対し、当該開閉部材７３の自由端部７４に接触するパチンコ球が同時に接触し得る間隔で、ゲート部１００および特別入賞部７０が近接配置されている。
【００６０】
更に、実施例のゲート部１００は、図５に示すように、前記底面部１０２におけるゲート通過口１０４の左側開口縁部Ｎ２(左上端部Ｔ２に近接する開口縁部)から前記特別入賞部７０の開閉部材７３の自由端部７４までの間隔Ｈ４がパチンコ球の直径Ｌ以上の間隔(Ｈ４≧Ｌ)となる位置に配置されている。すなわち、記特別入賞部７０の開閉部材７３が開放位置から閉鎖位置に変位する際に、前記底面部１０２において左上端部Ｔ２から左側開口縁部Ｎ２までの間に位置する部位(以下、左底面部１０２Ｂという場合がある)に対し、当該開閉部材７３の自由端部７４に接触するパチンコ球が同時に接触して挟まれないように構成されている。ここで、前記底面部１０２の左側開口縁部Ｎ２から前記開閉部材７３の自由端部７４までの間隔Ｈ４をパチンコ球の直径Ｌを超える間隔(Ｈ４＞Ｌ)となるよう設定することで、左側開口縁部Ｎ２と自由端部７４との間にパチンコ球が挟まれるのをより確実に防ぐことが可能となる。すなわち、実施例では、前記ゲート部１００の右底面部１０２Ａ(右下端部Ｔ１)および開閉部材７３の自由端部７４に同時に接触したパチンコ球が退避可能な空間が、当該ゲート部１００の左底面部１０２Ｂおよび開閉部材７３の間に画成されて、ゲート部１００と開閉部材７３との間でのパチンコ球の挟み込みを防ぐようになっている。なお、実施例では、前記底面部１０２の左側開口縁部Ｎ２から開閉部材７３の自由端部７４までの間隔Ｈ４は１１．５ｍｍ程度に設定されている。
【００６１】
(実施例の作用)
次に、前述のように構成された実施例に係るパチンコ機１０の作用につき説明する。
【００６２】
前記パチンコ機１０の前面側に設けられた前記操作ハンドル１６を遊技者が回転操作すると、前記打球発射装置１８から発射されたパチンコ球が前記遊技盤２０に設けた案内レール２３により画成された遊技領域２２に打ち出されて、遊技釘３２等に接触して流下方向を変更しながら遊技領域２２(第１の流下領域２２ａまたは第２の流下領域２２ｂ)内を流下する。そして、前記遊技領域２２の第１の流下領域２２ａや第２の流下領域２２ｂを流下するパチンコ球が前記第１始動入賞部５１や第２始動入賞部５２に入賞することを契機として特図当り判定が行われると共に前記図柄表示装置１７での図柄変動演出が開始され、図柄変動演出の結果、図柄表示装置１７に所定の当り表示となる組合せ(例えば同一演出図柄の３つ揃い等)で演出図柄が確定停止表示されることで、遊技者に有利な特別遊技(大当り遊技や小当り遊技等の特別遊技)が発生する。そして、特別遊技が発生すると、前記遊技盤２０に設けられた特別入賞部７０の特別入賞ソレノイドＳＬ２が駆動され、当該特別入賞部７０の開閉部材７３が所定のタイミングで開閉作動されて特別入賞口７１が遊技領域２２(第２の流下領域２２ｂ)に開口することでパチンコ球の入賞が許容されると共に、図柄表示装置１７において特別遊技演出が行われる。また、前記遊技領域２２の第２の流下領域２２ｂを流下するパチンコ球が前記ゲート部１００のゲート通過口１０４を通過することを契機として普図当り判定が行われ、当該普図当り判定の結果に応じて前記第２始動入賞部５２の始動入賞ソレノイドＳＬ１が駆動されて開閉部材５２ｂが開閉作動されることで、第２始動入賞口５２ａが遊技領域２２(第２の流下領域２２ｂ)に開口してパチンコ球の入賞が許容される。
【００６３】
ここで、前記特別入賞部７０における特別入賞口７１の上側に、前記ゲート通過口１０４の出口１０４ｂを特別入賞口７１の形成位置に向けた姿勢でゲート部１００が隣接して位置し、当該ゲート通過口１０４を通過したパチンコ球が特別入賞口７１の開口前側を通過し得るようにしたことで、当該特別入賞部７０の開閉部材７３が開放状態にある場合には、ゲート通過口１０４を通過したパチンコ球を当該開閉部材７３で受け止めて特別入賞口７１に入賞させることができる。このように、ゲート部１００のゲート通過口１０４を通過したパチンコ球が特別入賞口７１に入賞し得るようにすることで、１つのパチンコ球でゲート通過口１０４の通過に伴う第２始動入賞部５２の開閉部材５２ｂの開放契機(普図当り判定の実行契機)と、特別入賞口７１への入賞に伴う所定数(例えば１５個)の賞球の払い出し契機を実現することができる。
【００６４】
また、特別入賞部７０の特別入賞口７１の上側でパチンコ球を導くガイドとしてゲート部１００が機能することで、遊技釘３２や回転案内部材３３等の遊技領域２２でパチンコ球を案内する遊技部品に代えて、特別入賞部７０の特別入賞口７１の上側にゲート部１００を近接して配設することが可能となり、遊技領域２２においてゲート部１００および特別入賞部７０を狭い範囲にコンパクトに配置することが可能となる。従って、ゲート部１００および特別入賞部７０を設置するスペースを必要最小限にすることができるから、パチンコ球が流下可能なスペースを確保することができる。
【００６５】
ここで、実施例では、前記ゲート部１００から離間する端部側に位置する支軸ピン８４を中心として特別入賞部７０の開閉部材７３を回動可能に軸支する扉式に特別入賞部７０を構成し、特別入賞口７１を開閉部材７３で閉鎖する閉鎖状態で、前記ゲート部１００の底面部１０２が位置する仮想面Ｍに対し、開閉動作に伴って特別入賞口７１の開口上縁部７１ａに対して近接および離間するように変位する開閉部材７３の自由端部７４が傾斜方向に延在するよう構成してある。すなわち、特別入賞部７０の特別入賞口７１を開閉部材７３で閉鎖した状態において、ゲート部１００の底面部１０２の右下端部Ｔ１から左上端部Ｔ２に近づくにつれて開閉部材７３までの間隔が拡大すると共に、当該ゲート部１００の底面部１０２の左上端部Ｔ２において開閉部材７３までの間隔Ｈ２がパチンコ球の直径Ｌ以上の間隔となるよう構成してあるから、開放状態から閉鎖状態に開閉部材７３を変位する際に、前記ゲート部１００の底面部１０２と開閉部材７３の自由端部７４との間にパチンコ球が同時に接触して挟まれた場合に、当該パチンコ球をゲート部１００の側方(左上端部Ｔ２側)に逃がすことができるから、開閉部材７３との間にパチンコ球が挟まれて特別入賞口７１が半開きの状態で保持されるのを防止することができる。また、挟まれたパチンコ球をゲート部１００の側方(左上端部Ｔ２側)に逃がすようにすることで、当該パチンコ球がゲート通過口１０４の下方から進入するのを防ぐことができるから、当該ゲート通過口１０４を通過してゲートセンサＳＥ７で検出されたパチンコ球を当該ゲートセンサＳＥ７で二重に検出することを効果的に防止できる。このため、特別入賞部７０に対してゲート部１００を近接して配置することが可能になり、特別入賞部７０およびゲート部１００の配置の自由度を向上することができる。
【００６６】
ここで、実施例では、特別入賞口７１を開閉部材７３で閉鎖する閉鎖状態において、ゲート部１００の底面部１０２の右下端部Ｔ１から開閉部材７３の自由端部７４までの間隔Ｈ１がパチンコ球の直径Ｌに満たない間隔となる位置に当該自由端部７４が位置すると共に、当該ゲート部１００の底面部１０２の左上端部Ｔ２から開閉部材７３の自由端部７４までの間隔Ｈ２がパチンコ球の直径Ｌ以上の間隔となる位置に当該自由端部７４が位置している。すなわち、前記ゲート部１００をパチンコ球の直径Ｌに満たない間隔となる位置まで特別入賞部７０(開閉部材７３)に対して近接配置することができ、特別入賞口７１が半開きの状態での保持や、パチンコ球の二重検出を防止しつつ遊技盤２０(遊技領域２２)のスペースの有効利用に寄与することができる。また、前記特別入賞口７１を開閉部材７３が開放する開放状態では、当該開閉部材７３の自由端部７４およびゲート部１００の底面部１０２に対してパチンコ球が同時に接触不能となる位置に当該自由端部７４が位置するようにしたから、当該開放状態においてゲート部１００の底面部１０２と開閉部材７３との間にパチンコ球が挟まれるのを防止でき、ゲート通過口１０４を通過したパチンコ球をスムーズに特別入賞口７１へ入賞させることができる。
【００６７】
また、実施例では、前記ゲート部１００における右下端部Ｔ１からゲート通過口１０４の右側開口縁部Ｎ１までの間に位置する右底面部１０２Ａから、前記特別入賞部７０の開閉部材７３の自由端部７４までの間隔がパチンコ球の直径Ｌ以下の間隔となるよう構成してある。すなわち、特別入賞部７０の開閉部材７３が開放状態から閉鎖状態に変位する際に、ゲート部１００および開閉部材７３の自由端部７４に同時に接触したパチンコ球を、ゲート部１００の右底面部１０２Ａの傾斜に沿って押し出されるように左上端部Ｔ２に移動させることができる。このため、ゲート部１００および開閉部材７３の自由端部７４に同時に接触したパチンコ球が挟まれて特別入賞口７１が半開きになるのを効果的に防止できる。
【００６８】
更に、前記ゲート部１００における左上端部Ｔ２からゲート通過口１０４の左側開口縁部Ｎ２までの間に位置する左底面部１０２Ｂから、前記特別入賞部７０の開閉部材７３の自由端部７４までの間隔がパチンコ球の直径Ｌ以上の間隔となるよう構成してある。このため、特別入賞部７０の開閉部材７３が開放状態から閉鎖状態に変位する際に、ゲート部１００の左底面部１０２Ｂおよび開閉部材７３の自由端部７４にパチンコ球が同時に接触するのを防止できるから、当該左底面部１０２Ｂおよび開閉部材７３の自由端部７４の間にパチンコ球が挟まれるのを防ぐことができる。また、ゲート通過口１０４の左側開口縁部Ｎ２と開閉部材７３の自由端部７４との間にパチンコ球が挟まれないから、前記ゲート通過口１０４を通過したパチンコ球が左側開口縁部Ｎ２と開閉部材７３の自由端部７４とに挟まれてゲート通過口１０４の下方から進入するのを効果的に防ぐことができる。また、ゲート通過口１０４を通過したパチンコ球を確実に流下させ得るから、ゲート部１００および特別入賞部７０を近接配置することにより当該ゲート部１００で球詰まりすることを防止できる。
【００６９】
また、実施例の入賞ユニット６０は、ゲート部１００および特別入賞部７０を同一の取着部６１(入賞部側取着部６１ｂ)に設けてあるから、当該ゲート部１００および特別入賞部７０の相対的な位置関係が一定に維持することができる。このため、ゲート部１００や特別入賞部７０の組み付け誤差等による配置関係のずれに起因して、開閉部材７３との間にパチンコ球が挟まれて特別入賞口７１が半開きの状態で保持されたり、当該ゲート通過口１０４を通過したパチンコ球をゲートセンサＳＥ７で二重に検出する不具合が生じるのを防止し得る。また、ゲート部１００および特別入賞部７０を同時に遊技盤に取り付けることができるから、作業性の向上に寄与し得る。
【００７０】
また、前記ゲート部１００は、当該ゲート部１００が配設された第２の流下領域２２ｂを画成する枠状装飾部材４０の右側端部側に、ゲート通過口１０４の入口１０４ａが向くように配置したから、ゲート通過口１０４を鉛直方向に開口させるよう構成した場合と比べて、当該第２の流下領域２２ｂを流下するパチンコ球をゲート通過口１０４にスムーズに通過させることができる。また、ゲート部１００を傾斜配置することにより、ゲート部１００の底面部１０２の右下端部Ｔ１から左上端部Ｔ２に近づくにつれて特別入賞部７０の開閉部材７３までの間隔が拡大するように構成する場合に、従来のパチンコ機１０の構成を変更する必要がない。すなわち、一般的なパチンコ機１０における開閉扉タイプの特別入賞部７０の構成と同様に、前後に開口する特別入賞口７１を下端部側で左右方向に延在する支軸ピン８４で揺動可能に支持する構成をそのまま採用しつつ、ゲート部１００を近接配置することができる。そして、ゲート部１００は、ゲートセンサＳＥ７を保持する簡単な構成であるため、当該ゲート部１００を傾斜配置するためにパチンコ機１０の構成の大幅な変更を伴う必要がなく、特別入賞部７０およびゲート部１００の配置の自由度を向上することができる。
【００７１】
また、前記第２の流下領域２２ｂを流下するパチンコ球をゲート部１００に向けて誘導する誘導手段(球誘導部６２や誘導連釘３２Ａ)を設けたことで、第２の流下領域２２ｂを流下するパチンコ球を、傾斜配置されたゲート部１００の通過口に対してスムーズに通過させることが可能となる。すなわち、傾斜配置されたゲート部１００に対してパチンコ球が通過し難くなる不都合を効果的に防止できる。
【００７２】
また、実施例のパチンコ機１０では、遊技領域２２において第１の流下領域２２ａと比べて第２の流下領域２２ｂの方がパチンコ球の流下経路が制限された領域として形成されており、短時間に同じ経路を辿ってパチンコ球が流下する。このように、パチンコ球の流下経路が制限されて短時間に同じ経路をパチンコ球が通過する第２の流下領域２２ｂに特別入賞部７０およびゲート部１００を配設することでスピード感に優れた遊技を行い得る一方で、特別入賞部７０およびゲート部１００の間隔を詰めて近接配置した場合には、パチンコ球の挟み込みが生じる頻度が高くなることが懸念される。そこで、第２の流下領域２２ｂに配設された前記ゲート部１００を、底面部１０２の右下端部Ｔ１から左上端部Ｔ２に近づくにつれて特別入賞部７０の開閉部材７３の自由端部７４までの間隔が拡大するように相対的に傾斜配置することで、当該ゲート部１００と開閉部材７３との間でのパチンコ球の挟まれることに起因する不都合を効果的に回避でき、短時間に同じ経路をパチンコ球が通過することでパチンコ球の挟み込みが生じる頻度が高くなり易い第２の流下領域２２ｂに特別入賞部７０およびゲート部１００を間隔を詰めて近接配置することができる。すなわち、パチンコ球の流下経路が制限されて各種部材の設置スペースが限られた第２の流下領域２２ｂに対して、特別入賞部７０やゲート部１００を効率よく配置できる。
【００７３】
(第２の実施例について)
次に、第２の実施例に係る入球口を開閉部材で開閉する可変入球部と、遊技領域内で貫通する通過口を有するゲート部とを備えたパチンコ機について説明する。ここで、第２の実施例に係るパチンコ機では、可変入球部として特図当り判定の結果に基づいて特別遊技が付与される場合に入球口としての特別入賞口２１１を開閉部材２１３で開閉する特別入賞部２１０が設けられている。また第２の実施例のゲート部は、前述した実施例のゲート部１００と同一の構成であることから、同一の符号を付して詳細な説明は省略する。
【００７４】
第２の実施例に係る特別入賞部２１０は、図８に示すように、前記遊技盤２０(板状部材２１)の前面に固定される取着部６１(入賞部側取着部６１ｂ)から前方へ突出する球転動部２１０ａと、当該球転動部２１０ａに上方へ開口するよう設けられてパチンコ球が入賞(入球)可能な特別入賞口２１１と、当該球転動部２１０ａの下側に配設されて特別入賞口２１１に連通する入賞空間２１２ａが画成された入賞部本体２１２と、当該特別入賞口２１１を開閉する開閉部材２１３と、当該開閉部材２１３を開閉作動する駆動部とから基本的に構成されている。なお、第２の実施例の特別入賞部２１０を構成する駆動部は、前述した実施例の特別入賞部７０と同様に、前記入賞部本体２１２に設けられた駆動手段としての特別ソレノイドＳＬ２と、当該特別ソレノイドＳＬ２および開閉部材２１３を連係する作動部材とから構成されて、当該特別入賞ソレノイドＳＬ２の駆動に伴って前記開閉部材２１３が開閉変位するよう構成されている。なお、前記球転動部２１０ａは、左右の一方端部側(右端部側)から他方端部側(左端部側)に向けて下方傾斜するよう形成されており、当該球転動部２１０ａ上のパチンコ球が左方向へ転動するようになっている。
【００７５】
ここで、第２の実施例の特別入賞部２１０の開閉部材２１３は、特別入賞口２１１の開口形状に略合致する矩形板状に形成されており、前記取着部６１に対して前後に開口するよう形成された開口部を介して遊技盤２０(板状部材２１)の盤面(具体的には取着部６１)に対して出没するよう前後に進退移動可能に構成されている。実施例では、開閉部材２１３の上面が遊技盤２０(板状部材２１)に対して略直交するようになっている。そして、前記特別入賞ソレノイドＳＬ２の駆動に伴って、前記取着部６１の前側に突出してパチンコ球が入賞不能となるよう特別入賞口２１１を閉鎖する閉鎖位置と、取着部６１の後方へ退避してパチンコ球が入賞可能となるよう特別入賞口２１１を開放する開放位置とに前記開閉部材２１３が開閉変位するよう構成され、当該開閉部材２１３が開放位置に変位することで、第２の流下領域２２ｂを流下するパチンコ球が特別入賞口２１１に入賞し得るようになっている。すなわち、第２の実施例の特別入賞部２１０は、前記開閉部材２１３の前側端部２１４が前記特別入賞口２１１の開口前縁部(開口縁部)２１１ａに近接または当接することで、当該特別入賞口２１１を閉鎖する閉鎖状態となり、当該開閉部材２１３の前側端部２１４が特別入賞口２１１の開口前縁部２１１ａから後方へ離間することで特別入賞口２１１を開放する開放状態となるよう構成されている。また、前記開閉部材２１３が前記閉鎖位置にある状態で、当該開閉部材２１３の上面が前記球転動部２１０ａの上面と略同一面上に位置するようになっており、当該球転動部２１０ａを転動するパチンコ球が開閉部材２１３上を転動し得るようになっている。
【００７６】
(特別入賞部２１０およびゲート部１００の関係について)
次に、前記特別入賞部２１０およびゲート部１００の配置関係について説明する。なお、特別入賞部２１０およびゲート部１００の配置関係に関する説明では、特に断りのない限り、当該特別入賞部２１０の開閉部材２１３が特別入賞口２１１を閉鎖した状態を基準に説明する。図８に示すように、前記ゲート部１００は、前記特別入賞口２１１の上側で、かつ当該特別入賞口２１１における左右方向の開口範囲内に前記ゲート通過口１０４が位置するよう隣接して前記取着部６１に配置されている。具体的には、前記ゲート通過口１０４の出口１０４ｂが開口する底面部１０２を前記特別入賞部２１０の特別入賞口２１１が開口する形成位置に向けた姿勢で前記ゲート部１００が特別入賞部２１０に隣接して配置されており、当該特別入賞部７０の開閉部材２１３が特別入賞口２１１を開放した状態でゲート通過口１０４を通過したパチンコ球が特別入賞口２１１に入賞し得るよう構成される。
【００７７】
前記ゲート部１００は、図８に示すように、前記ゲート通過口１０４の出口１０４ｂが開口する底面部１０２が右下がりに傾斜するよう構成されている。一方で、前述のように、前記特別入賞部２１０は、前記開閉部材２１３(前側端部２１４)が右上がり傾斜するよう構成されている。すなわち、前記ゲート部１００の底面部１０２が位置する仮想面(平面)Ｍに対し、特別入賞部２１０の開閉部材２１３の前側端部２１４が傾斜方向に延在するようされている。このように、ゲート部１００の底面部１０２が位置する仮想面Ｍと、特別入賞部２１０の開閉部材２１３の前側端部２１４とが傾斜状に交差するようにすることで、当該開閉部材２１３の前側端部２１４に対する底面部１０２の傾斜上端側に、パチンコ球が退避可能な空間を形成するよう構成され、当該底面部１０２の傾斜下端側において開閉部材２１３(前側端部２１４)とゲート部１００とに同時に接触したパチンコ球が挟まれるのを防ぐようになっている。具体的に、前記特別入賞部２１０およびゲート部１００は、図８に示すように、当該ゲート部１００の底面部１０２の右下端部Ｔ１から、当該特別入賞部２１０の開閉部材２１３(前側端部２１４)までの間隔が最も狭くなるよう構成される。そして、前記ゲート部１００の底面部１０２の左上端部Ｔ２から近づくにつれて、当該底面部１０２から開閉部材２１３(前側端部２１４)までの間隔が拡大するようになっており、当該底面部１０２の左上端部Ｔ２において特別入賞部２１０の開閉部材２１３(前側端部２１４)までの間隔が最も広くなるよう構成される。
【００７８】
ここで、第２の実施例に係るパチンコ機における特別入賞部２１０の開閉部材２１３とゲート部１００との配置間隔は、前述した実施例における特別入賞部７０の開閉部材７３とゲート部１００との配置間隔と基本的に同一である。すなわち、図８に示すように、前記ゲート部１００における底面部１０２の右下端部Ｔ１から前記特別入賞部２１０の開閉部材２１３までの間隔Ｈ１は、パチンコ球の直径Ｌ(略１１ｍｍ)に満たない間隔(Ｈ１＜Ｌ)となるよう設定され、当該底面部１０２の左上端部Ｔ２から開閉部材２１３までの間隔Ｈ２は、パチンコ球の直径Ｌ以上の間隔(Ｈ２≧Ｌ)となるよう設定されている。更に、前記ゲート部１００における底面部１０２の右側開口縁部Ｎ１から前記特別入賞部２１０の開閉部材２１３までの間隔Ｈ３がパチンコ球の直径Ｌ以下の間隔(Ｈ３≦Ｌ)となるよう設定され、当該底面部１０２の左側開口縁部Ｎ２から前側端部２１４までの間隔Ｈ４がパチンコ球の直径Ｌ以上の間隔(Ｈ４≧Ｌ)となるよう設定されている。
【００７９】
すなわち、第２の実施例では、遊技盤の盤面に対して出没するよう開閉部材２１３を前後に進退移動可能なスライド式に特別入賞部２１０を構成し、前述した実施例と同様に、特別入賞口２１１を開閉部材２１３が閉鎖する閉鎖状態において、ゲート部１００の底面部１０２の右下端部Ｔ１から開閉部材２１３(前側端部２１４)までの間隔Ｈ１を、パチンコ球の直径Ｌに満たない間隔とすると共に、当該ゲート部１００の底面部１０２の左上端部Ｔ２から開閉部材２１３(前側端部２１４)までの間隔Ｈ２をパチンコ球の直径Ｌ以上の間隔としてある。これにより、開放状態から閉鎖状態に開閉部材２１３が変位する際にゲート部１００の底面部１０２と開閉部材２１３とにパチンコ球が同時に接触して挟まれたとしても、当該パチンコ球をゲート部１００の左上端部Ｔ２側に逃がすことができ、パチンコ球が留まって特別入賞口２１１が半開きの状態で保持されたり、パチンコ球がゲート部１００のゲートセンサＳＥ７で二重に検出されたることを効果的に防止できる。また、第２の実施例に係る特別入賞口２１１を備えたパチンコ機１０において、実施例に係る特別入賞部７０を備えたパチンコ機１０に関して説明したと同様の作用を期待し得る。
【００８０】
(第３の実施例について)
次に、別の実施例に係る入球口を開閉部材で開閉する可変入球部と、遊技領域内で貫通する通過口を有するゲート部とを備えたパチンコ機について説明する。ここで、別の実施例に係るパチンコ機では、可変入球部として特図当り判定の結果に基づいて特別遊技が付与される場合に入球口としての特別入賞口２１１を開閉部材２１３で開閉する特別入賞部２１０が設けられている。また第３の実施例のゲート部は、前述した実施例のゲート部１００と同一の構成であることから、同一の符号を付して詳細な説明は省略する。
【００８１】
第３の実施例に係る特別入賞部２１０は、図９に示すように、前記取着部６１(入賞部側取着部６１ｂ)に対して前後に開口するよう設けられてパチンコ球が入賞(入球)可能な特別入賞口２５１と、当該取着部６１(入賞部側取着部６１ｂ)の後側に配設されて特別入賞口２５１に連通する入賞空間２５２ａが形成された入賞部本体２５２と、当該特別入賞口２５１を開閉する開閉部材２５３と、当該開閉部材２５３を開閉作動する駆動部とから基本的に構成されている。なお、第３の実施例の特別入賞部２５０を構成する駆動部は、前述した実施例の特別入賞部７０と同様に、前記入賞部本体２５２に設けられた駆動手段としての特別ソレノイドＳＬ２と、当該特別ソレノイドＳＬ２および開閉部材２１３を連係する作動部材とから構成されている。
【００８２】
ここで、第３の実施例に係る特別入賞部２５０の開閉部材２５３は、前後方向に長尺に形成されて、前記特別入賞口２５１を介して遊技盤２０(板状部材２１)の盤面(具体的には取着部６１)に対して出没するよう前後に進退移動可能に構成されると共に、上面側にパチンコ球を後方へ誘導する球受け面２５３ａが形成されている。そして、前記特別入賞ソレノイドＳＬ２の駆動に伴って、前記特別入賞口２５１の開口縁(取着部６１)より後方に退避してパチンコ球が入賞不能となるよう特別入賞口２１１を閉鎖する閉鎖位置と、特別入賞口２５１の開口縁(取着部６１)より前方へ突出してパチンコ球が入賞可能となるよう特別入賞口２５１を開放する開放位置とに前記開閉部材２５３が開閉変位するよう構成されている。ここで、前記開放位置では、前記開閉部材２５３の球受け面２５３ａが第２の流下領域２２ｂ内に位置し、流下するパチンコ球を球受け面２１３ａで受け止め得るようになっており、当該球受け面２１３ａで受け止めたパチンコ球が特別入賞口２５１に誘導されるよう構成されている。すなわち、第３の実施例の特別入賞部２５０は、前記開閉部材２５３の前側上端部２５４が前記特別入賞口２５１の開口上縁部(開口縁部)２５１ａに近接または当接することで、当該特別入賞口２５１を閉鎖する閉鎖状態となり、当該開閉部材２５３の前側上端部２５４が特別入賞口２５１の開口上縁部２５１ａから前側に離間することで特別入賞口２５１を開放する開放状態となるよう構成されている。なお、第３の実施例に係る特別入賞口２５１の開閉部材２５３は、特別入賞口２５１の開口下縁部２５１ｂに隣接する位置において前後方向に進退移動するよう構成されて、前記開閉部材２５３が前記閉鎖位置にある状態で、当該開閉部材２５３の前側上端部２５４が前記特別入賞口２５１の開口上縁部２５１ａに対してパチンコ球が通過不能となる間隔で近接するようになっている。
【００８３】
(特別入賞部２５０およびゲート部１００の関係について)
次に、前記特別入賞部２５０およびゲート部１００の配置関係について説明する。なお、特別入賞部２５０およびゲート部１００の配置関係に関する説明では、特に断りのない限り、当該特別入賞部２５０の開閉部材２５３が特別入賞口２５１を閉鎖した状態を基準に説明する。図９に示すように、前記ゲート部１００は、前記特別入賞口２５１の上側で、かつ当該特別入賞口２５１における左右方向の開口範囲内に前記ゲート通過口１０４が位置するよう隣接して前記取着部６１に配置されている。具体的には、前記ゲート通過口１０４の出口１０４ｂが開口する底面部１０２を前記特別入賞部２５０の特別入賞口２５１が開口する形成位置に向けた姿勢で前記ゲート部１００が特別入賞部２５０に隣接して配置されており、当該特別入賞部７０の開閉部材２５３が特別入賞口２５１を開放した状態でゲート通過口１０４を通過したパチンコ球が特別入賞口２５１に入賞し得るよう構成される。
【００８４】
前記ゲート部１００は、図９に示すように、前記ゲート通過口１０４の出口１０４ｂが開口する底面部１０２が右下がりに傾斜するよう構成されている。一方で、前述のように、前記特別入賞部２５０は、前記開閉部材２５３(前側上端部２５４)が右上がり傾斜するよう構成されている。すなわち、前記ゲート部１００の底面部１０２が位置する仮想面(平面)Ｍに対し、特別入賞部２５０の開閉部材２５３の前側上端部２５４が傾斜方向に延在するようされている。このように、ゲート部１００の底面部１０２が位置する仮想面Ｍと、特別入賞部２５０の開閉部材２５３の前側上端部２５４とが傾斜状に交差するようにすることで、当該開閉部材２５３の前側上端部２５４に対する底面部１０２の傾斜上端側に、パチンコ球が退避可能な空間を形成するよう構成され、当該底面部１０２の傾斜下端側において開閉部材２５３(前側上端部２５４)とゲート部１００とに同時に接触したパチンコ球が挟まれるのを防ぐようになっている。具体的に、前記特別入賞部２５０およびゲート部１００は、図９に示すように、当該ゲート部１００の底面部１０２の右下端部Ｔ１から、当該特別入賞部２５０の開閉部材２５３(前側上端部２５４)までの間隔が最も狭くなるよう構成される。そして、前記ゲート部１００の底面部１０２の左上端部Ｔ２から近づくにつれて、当該底面部１０２から開閉部材２５３(前側上端部２５４)までの間隔が拡大するようになっており、当該底面部１０２の左上端部Ｔ２において特別入賞部２５０の開閉部材２５３(前側上端部２５４)までの間隔が最も広くなるよう構成される。
【００８５】
ここで、第３の実施例に係るパチンコ機における特別入賞部２５０の開閉部材２５３とゲート部１００との配置間隔は、前述した実施例における特別入賞部７０の開閉部材７３とゲート部１００との配置間隔と基本的に同一である。すなわち、図９に示すように、前記ゲート部１００における底面部１０２の右下端部Ｔ１から前記特別入賞部２５０の開閉部材２５３までの間隔Ｈ１は、パチンコ球の直径Ｌ(略１１ｍｍ)に満たない間隔(Ｈ１＜Ｌ)となるよう設定され、当該底面部１０２の左上端部Ｔ２から開閉部材２５３までの間隔Ｈ２は、パチンコ球の直径Ｌ以上の間隔(Ｈ２≧Ｌ)となるよう設定されている。更に、前記ゲート部１００における底面部１０２の右側開口縁部Ｎ１から前記特別入賞部２５０の開閉部材２５３までの間隔Ｈ３がパチンコ球の直径Ｌ以下の間隔(Ｈ３≦Ｌ)となるよう設定され、当該底面部１０２の左側開口縁部Ｎ２から前側上端部２５４までの間隔Ｈ４がパチンコ球の直径Ｌ以上の間隔(Ｈ４≧Ｌ)となるよう設定されている。
【００８６】
すなわち、第３の実施例に係る特別入賞部２５０の開閉部材２５３を、遊技盤の盤面に対して出没するよう前後に進退移動可能なスライド式に構成した場合でも、前述した実施例と同様に、特別入賞口２５１を閉鎖する閉鎖状態においてゲート部１００の底面部１０２の右下端部Ｔ１から開閉部材２５３(前側上端部２５４)までの間隔Ｈ１を、パチンコ球の直径Ｌに満たない間隔とすると共に、当該ゲート部１００の底面部１０２の左上端部Ｔ２から開閉部材２５３(前側上端部２５４)までの間隔Ｈ２をパチンコ球の直径Ｌ以上の間隔とすることにより、開放状態から閉鎖状態に開閉部材２５３が変位する際にゲート部１００の底面部１０２と開閉部材２５３とにパチンコ球が同時に接触して挟まれたとしても、当該パチンコ球をゲート部１００の左上端部Ｔ２側に逃がすことができ、パチンコ球が留まって特別入賞口２５１が半開きの状態で保持されたり、パチンコ球がゲート部１００のゲートセンサＳＥ７で二重に検出されたることを効果的に防止できる。また、第３の実施例に係る特別入賞口２５１を備えたパチンコ機１０において、実施例に係る特別入賞部７０を備えたパチンコ機１０に関して説明したと同様の作用を期待し得る。
【００８７】
(変更例)
なお、遊技機としては、実施例に示したものに限らず、種々の構成を採用可能であり、その一例を説明する。
【００８８】
(１)  実施例では、可変入球部としての特別入賞部に対してゲート部を隣接して配置する構成を示したが、これに限られるものではなく、開閉部材により始動入賞口を開閉する始動入賞部(第２始動入賞部)に対してゲート部を隣接して配置する構成とすることができる。また、可変入球部としては、特別入賞部や始動入賞部のように入球口に入球(入賞)した遊技球が遊技盤の外部に排出される構成に限られるものではなく、ゲート部のように入球口に入球(通過)した遊技球が遊技領域を流下する構成とすることもできる。すなわち、可変入球部としては、遊技領域内で開口する入球口を開閉部材で開閉し得るものであればよい。
(２)  実施例では、可変入球部(特別入賞部)およびゲート部を同一の取着部に対して設けるように構成したが、可変入球部およびゲート部の夫々を固定する取着部を個別に設けるようにして、可変入球部およびゲート部を単独で着脱し得るようにしてもよい。
(３)  実施例では、遊技盤に画成した第２の流下領域に可変入球部およびゲート部を配設するよう構成したが、第１の流下領域に可変入球部およびゲート部を配設することも可能である。また実施例では、第２の流下領域において遊技球が流下可能な流下経路を、第１の流下領域において遊技球が流下経路よりも制限されるよう構成したが、第１および第２の流下領域において遊技球が流下可能な流下経路が等しくなるようにすることも可能である。具体的には、第１および第２の流下領域において、遊技釘や回転案内部材等の遊技球の流下経路を制限する部材を左右対称となるよう遊技盤に配置することで実現できる。
(４)  実施例では、図柄表示装置の表示部が後方から臨む枠状装飾部材により遊技盤の遊技領域を第１の流下領域および第２の流下領域に区画するようにしたが、これに限られるものではなく、可動演出装置や発光装置等を備えた装飾部材により遊技領域を第１および第２の流下領域に区画するようにしてもよい。また、遊技領域を区画する装飾部材としては、単独の部材である必要はなく、複数の装飾部材により遊技領域を区画することができる。更に、実施例では、遊技盤に配設した装飾部材により遊技領域を２つの流下領域に区画するよう構成したが、３つ以上の流下領域に区画することも可能である。
(５)  実施例では、遊技盤に対してゲート部を傾斜配置することで、当該ゲート部の底面部が位置する平面と開閉部材の開閉端部(自由端部や前側端部)とが傾斜状に交差するよう構成したが、ゲート部の底面部が位置する平面に対して、開閉部材の開閉端部(自由端部や前側端部)が相対的に傾斜方向に延在する配置関係とすれば、ゲート部や特別入賞部の配置姿勢を任意に決定できる。すなわち、遊技盤に対してゲート部の底面部を水平な状態で配置すると共に、開閉部材の開閉端部(自由端部や前側端部)を水平方向に対して傾斜するよう延在させることも可能である。
(６)  実施例では、ゲート部の底面部における傾斜下端部(右下端部Ｔ１)から可変入球部の開閉部材(開閉端部)までの間隔Ｈ１を遊技球の直径Ｌに満たない間隔となるよう構成したが、当該間隔Ｈ１を遊技球の直径Ｌ以上の間隔としてもよい。すなわち、ゲート部の底面部における傾斜下端部(右下端部Ｔ１)から傾斜上端部(左上端部Ｔ２)に近づくにつれて、当該ゲート部の底面部から可変入球部の開閉部材(開閉端部)までの間隔が拡大すると共に、少なくともゲート部の底面部の傾斜上端部において開閉部材(開閉端部)までの間隔が遊技球の直径以上の間隔となるよう構成すればよい。
(７)  また、第２の実施例では、遊技盤の盤面に対して可変入球部(特別入賞部)の開閉部材が出没するよう前後に進退移動可能に構成したが、当該開閉部材を入球口(特別入賞口)の上方開口縁に左右方向(遊技盤の盤面に沿う方向)に移動するよう構成してもよい。この場合に、開放位置から閉鎖位置に移動する際に、開閉部材が左から右側に向けて移動するよう構成することで、当該開閉部材の開閉端部(この場合には開閉部材の左端部)とゲート部の底面部とに同時に当接した遊技球を、ゲート部における底面部の傾斜上端側となる左側に押し出すことができるから、ゲート部の底面部と開閉部材との間に遊技球が保持されるのをより効果的に防ぐことができる。
【００８９】
また、実施例からは次のような技術的思想を把握することができる。
(Ａ)  請求項７記載の構成を含む遊技機に関して、
前記ゲート部(100)が配設された流下領域(22b)には、前記装飾部材(40)の側端部を流下した遊技球を前記ゲート部(100)に向けて誘導し得るよう傾斜した誘導手段(32A,62)が設けられて、当該誘導手段(32A,62)の傾斜下方で前記ゲート部(100)の通過口(104)が開口するよう構成されたことを要旨とする。
このように、ゲート部に向けて誘導し得るよう傾斜した誘導手段を設けることで、第１または第２の流下領域を流下する遊技球を、傾斜配置されたゲート部の通過口に対してスムーズに通過させることが可能となる。すなわち、傾斜配置されたゲート部に対して遊技球が通過し難くなる不都合を効果的に防止できる。
(Ｂ)  請求項７記載の構成を含む遊技機に関して、
前記可変入球部(70,210,250)およびゲート部(100)は、前記第１の流下領域(22a)および第２の流下領域(22b)の内で、遊技球の流下経路が制限された流下領域(22b)に配設されたことを要旨とする。
このように、遊技球の流下経路が制限されて短時間に同じ経路を遊技球が通過することでゲート部の底面部側と開閉部材との間に遊技球が挟まれる頻度が高くなり易い流下領域に配設された可変入球部およびゲート部を、ゲート部の底面部の一方端部から他方端部に近づくにつれて可変入球部の開閉部材までの間隔が拡大するように構成することで、当該ゲート部の底面部側と開閉部材との間での遊技球の挟まれることに起因する不都合を効果的に回避できる。
【符号の説明】
【００９０】
２０  遊技盤
２２  遊技領域
２２ａ  第１の流下領域
２２ｂ  第２の流下領域
３０  アウト口
４０  枠状装飾部材(装飾部材)
４１  前側表示窓部(表示窓部)
６１  取着部
７０,２１０,２５０  特別入賞部(可変入球部)
７１,２１１,２５１  特別入賞口(入球口)
７１ａ,２１１ａ,２５１ａ  特別入賞口の開口縁部(入球口の開口縁部)
７３,２１３,２５３  開閉部材
７４  開閉部材の自由端部(開閉端部)
８４  支軸ピン(軸部)
１００  ゲート部
１０２  底面部
１０４  ゲート通過口(通過口)
２１４  開閉部材の前側端部(開閉端部)
２５４  開閉部材の前側上端部(開閉端部)
ＳＥ７  ゲートセンサ(球検出センサ)
Ｈ１  底面部の右下端部から開閉部材の開閉端部までの間隔
Ｈ２  底面部の左上端部から開閉部材の開閉端部までの間隔
Ｌ  遊技球の直径
Ｔ１  底面部の右下端部(一方端部)
Ｔ１  底面部の左上端部(他方端部)
【図１】
0006317241.tif 000002
【図２】
0006317241.tif 000003
【図３】
0006317241.tif 000004
【図４】
0006317241.tif 000005
【図５】
0006317241.tif 000006
【図６】
0006317241.tif 000007
【図７】
0006317241.tif 000008
【図８】
0006317241.tif 000009
【図９】
0006317241.tif 000010